(57)【要約】      （修正有）【課題】同じディスプレイ画面を観ている複数のユーザに同時に投影できる携帯電話／機器ケース、カバーを提供する。【解決手段】カメラシステム及び３Ｄ／マルチビデオ及び静止フレームビューアーと一体化される携帯機器のケース又はカバーであって、２つのカメラ及び３Ｄビューアーシートを一体化又は接続する３Ｄカメラから成り、３Ｄカメラは複数の軸の周りに回転可能でメインカメラ及び自撮りカメラとして使用でき、３Ｄビューアーシートは剥離可能なステッカー又はフリップカバーであり、カバーをディスプレイ上に反転することで装着でき、ディスプレイから反転することで取り外しができ、３Ｄビューアーシートは波形状透明ポリマーからなり、携帯機器又はテレビのディスプレイ画面の上部に配置され、それにより特殊な眼鏡を使用することなく携帯機器又はテレビで３Ｄを視見可能にする。【選択図】図３９
0003231329.tif 000002
【実用新案登録請求の範囲】
【請求項１】
携帯電話ケース又はカバー又は携帯機器ケース又はカバーに一体化される２つのカメラ
及び３Ｄビューアーシートを一体化又は接続することによって実現される３Ｄカメラから
成り、
３Ｄカメラは複数の軸の周りに回転可能で３Ｄカメラをメインカメラとしてのみならず
自撮り（セルフ写真又はビデオ）カメラとして使用することができ、
３Ｄビューアーシートはステッカー又は剥離可能なステッカー又はフリップカバーの形
態であり、
３Ｄビューアーシートはカバーをディスプレイ上に反転することによって装着すること
ができ、３Ｄビューアーシートはカバーをディスプレイから反転することによって取り外
すことができ、
別のフリップカバーは３Ｄビューアーシートに加えて携帯電話／機器カバーに追加する
こともでき、
携帯電話又は携帯機器は携帯電話／機器ケース又はカバーに取り付けることができ、
３Ｄカメラは携帯機器内で動作するアプリケーションによって制御することができ、
３Ｄビューアーシートは携帯機器又はテレビのディスプレイ画面の上部に配置され、そ
れによって特殊な眼鏡を使用することなく（即ち、眼鏡不要３Ｄ）携帯機器又はテレビで
３Ｄを視見することを可能にすることを特徴とする携帯機器ケース又はカバー。
【請求項２】
３Ｄビューアーシートがディスプレイに取り付けられている間に３Ｄコンテンツ及び２
Ｄコンテンツの両方を視見することができることを特徴とする請求項１記載の携帯機器ケ
ース又はカバー。
【請求項３】
３Ｄカメラは携帯機器内で動作するアプリケーションによって制御することができるこ
とを特徴とする請求項１記載の携帯機器ケース又はカバー。
【請求項４】
３Ｄビューアーシートはテレビのディスプレイ画面の上部に配置され、それによって特
殊な眼鏡を使用することなく（即ち、眼鏡不要３Ｄ）テレビの３Ｄを視見することを可能
にすることを特徴とする請求項１記載の携帯機器ケース又はカバー。
【請求項５】
３Ｄカメラによって取得される画像は、携帯電話／機器（画面）に表示されて携帯機器
は携帯電話／機器ケースに取り付けられ、携帯電話／機器ケースに取り付けられる３Ｄビ
ューアーシートは携帯電話／機器（画面）の上部に配置されることを特徴とする請求項１
記載の携帯機器ケース又はカバー。
【請求項６】
３Ｄビューアーシートは携帯機器のディスプレイの上部に又は保護ガラス層の上部に直
接配置されることを特徴とする請求項１記載の携帯機器ケース又はカバー。
【請求項７】
３Ｄカメラと３Ｄビューアーは携帯電話／機器ケースに一体化され、３Ｄカメラを携帯
電話／機器ケースから取り外して３Ｄカメラをメインカメラとしてのみならず自撮りカメ
ラ及びリモートコントロールカメラとして使用できるようにすることを特徴とする携帯機
器ケース又はカバー。
【請求項８】
３Ｄカメラは携帯電話／装置のケース又はカバーに対して複数の軸の周りに回転可能で
あり、３Ｄカメラをメインカメラ及び自撮りカメラとして使用可能にすることを特徴とす
る請求項１記載の携帯機器ケース又はカバー。
【請求項９】
３Ｄカメラは回転可能なサムホイールに取り付けられる複数のレンズを有し、これによ
って複数の異なるレンズを３Ｄカメラと共に使用でき例えば、ズーム、望遠、マルチ画像
などの複数の光学効果をもたせることができることを特徴とする請求項１記載の携帯機器
ケース又はカバー。
【請求項１０】
異なるレンズを含むサムホイールはカメラのオートフォーカスレンズの前に配置され、
カメラの画像センサはオートフォーカスレンズの後ろに配置されることを特徴とする請求
項９記載の携帯機器ケース又はカバー。
【請求項１１】
異なるレンズを含むサムホイールはオートフォーカスレンズ及び画像センサの間に配置
されることを特徴とする請求項９記載の携帯機器ケース又はカバー。
【請求項１２】
異なるレンズを含むサムホイールはオートフォーカスレンズの前に又はオートフォーカ
スレンズ及び画像センサの間に配置することができることを特徴とする請求項９記載の携
帯機器ケース又はカバー。
【請求項１３】
３Ｄカメラはサムホイールに取り付けられる複数のレンズを有し、これによって複数の
異なるレンズを使用／交換してズーム、望遠、マルチ画像などの複数の光学効果をもたせ
ることができ、このカメラは複数の軸の周りに回転可能であることを特徴とする請求項１
記載の携帯機器ケース又はカバー。
【請求項１４】
携帯電話／装置ケースに一体化される３Ｄカメラ及び３Ｄビューアーはカメラフラッシ
ュが装備され、フラッシュは通常呼ばれているＬＥＤフラッシュ又はガス放電管フラッシ
ュ、赤外線源又は任意の種類の光源の発光素子装置であってよく、光源は可視光を含むこ
とを特徴とする請求項１記載の携帯機器ケース又はカバー。
【請求項１５】
携帯機器ケース又はカバーは３Ｄカメラ、３Ｄビューアーシート、無線通信回路を有す
る電子機器、信号処理回路、データ記憶装置、メモリカード、フラッシュメモリカード、
Ｗｉ−Ｆｉ送受信機、ｗｉ−ｆｉホットスポット、無線送受信機、近距離無線通信回路、
無線充電器、ブルートゥース、バッテリー、携帯電話のコネクタを介して携帯機器のバッ
テリーを充電するための充電器、サムホイールに取り付けられる複数のレンズのすべて又
は一部から成り、複数の異なるレンズをカメラと共に使用して複数の光学効果をもたせる
ことができ、カメラは複数の軸の周りで回転させることができることを特徴とする請求項
１記載の携帯機器ケース又はカバー。
【請求項１６】
複数のレンズがカメラと共に使用されて複数の光学効果をもたせるサムホイールはホイ
ールを使用してギア機構を介して連結されることを特徴とする請求項９記載の携帯機器ケ
ース又はカバー。
【請求項１７】
３Ｄカメラは使用後に収納するために携帯装置のケース又はカバー内に差し込むことが
できることを特徴とする請求項１記載の携帯機器ケース又はカバー。
【請求項１８】
携帯機器ケース又はカバーは携帯電話／機器ケース又はカバーに取り付けられる折りた
たみ可能又は取り出し可能なスタンドを含むことができることを特徴とする請求項１記載
の携帯機器ケース又はカバー。
【請求項１９】
携帯機器ケース又はカバーは２Ｄ静止画及びビデオを取り込むことができる通常のカメ
ラから成ることができることを特徴とする請求項１及び１５記載の携帯機器ケース又はカ
バー。
【請求項２０】
携帯機器ケース又はカバーは請求項１記載の３Ｄカメラに加えて、２Ｄ静止画及び動画
を取り込むことができる通常のカメラから構成され、このレギュラーカメラは請求項９に
記載のサムホイールを使用するか又は装着することができることを特徴とする請求項１及
び１５記載の携帯機器ケース又はカバー。
【請求項２１】
３Ｄカメラは前記携帯電話／装置ケース又はカバーに恒久的に固定されることを特徴と
する請求項１記載の携帯機器ケース又はカバー。
【請求項２２】
請求項１及び請求項１９記載の３Ｄカメラにおいて、３Ｄビューアーシート及びフレネ
ルレンズは携帯電話／機器ディスプレイ画面及び携帯電話／機器ディスプレイを観ている
人の目の間に配置されて視見実感の向上ることを特徴とする請求項１及び９記載の携帯機
器ケース又はカバー。
【請求項２３】
請求項１及び請求項９記載の３Ｄカメラにおいて、フレネルレンズは携帯電話／機器デ
ィスプレイ画面及び携帯電話／機器ディスプレイを観ている人の目の間に配置されて視見
実感を向上させることを特徴とする請求項１及び請求項１９記載の携帯機器ケース又はカ
バー。
【請求項２４】
３Ｄビューアーシートは１つ又は複数のレンチキュラーレンズ又はレンチキュラーレン
ズアレイ、平行線アレイの集成体及びマイクロ及びナノ機能素又は構造の集成体を備えＬ
ＥＤ又はＬＣＤ又は他のディスプレイに取り付けられ、
３Ｄビューアーシートの一方の側面はＬＥＤ又はＬＣＤ又は他のディスプレイに取り付
けられ、他方の側面は別の基板に取り付けられ、
携帯機器ディスプレイのピクセルは３Ｄビューアーシートの下に配置され、
この３Ｄビューアーシートにより、特殊な眼鏡を使用せずに（即ち、眼鏡不要３Ｄ）３
Ｄを観察することができることを特徴とする請求項１記載の携帯機器ケース又はカバー。
【請求項２５】
３Ｄビューアーシートは請求項２４記載の３Ｄビューアーの機能素の一部又は全部を備
えてディスプレイ（例えば、携帯機器画面又はＴＶ画面）上に配置され、ディスプレイの
ピクセルは３Ｄビューアーシートと接触して配置され、透明シートが３Ｄビューアーシー
ト上に取り付けられるか又はオーバーモールドされることを特徴とする請求項１記載の携
帯機器ケース又はカバー。
【請求項２６】
３Ｄカメラは一眼レフ又はデジタル一眼レフカメラに搭載することができることを特徴
とする請求項１に記載の携帯機器ケース又はカバー。
【請求項２７】
３Ｄビューアーシートは一眼レフ又はデジタル一眼レフカメラのビューファインダ又は
ディスプレイ画面に設置又は取り付け可能で特殊な眼鏡を使用又は着用することなく３Ｄ
視見実感をもたせることができることを特徴とする請求項１に記載の携帯機器ケース又は
カバー。
【請求項２８】
３Ｄ／２Ｄビューアーシートを使用することにより、所定の時点で全く異なる２つ以上
の画像／ビデオが２人以上の者によって１つの携帯機器／ディスプレイ又はテレビで視見
することができ、これは３Ｄ／２Ｄビューアーシートを使用／利用することによって、可
視範囲内の特定の領域に見える多くの画像のうち１つの画像を作成し、２つ以上の画像又
はビデオが同時に携帯機器のディスプレイ画面又はテレビに表示されることを特徴とする
請求項１記載の携帯機器ケース又はカバー。
【請求項２９】
異なる画像／ビデオを複数の視聴者によって同時に視見することは特殊な眼鏡を使用／
使用することなく可能であることを特徴とする請求項２８記載の携帯機器ケース又はカバ
ー。
【請求項３０】
異なる画像／ビデオを複数の視見者によって同時に視見することは特殊な眼鏡を使用／
着用することによって可能であることを特徴とする請求項２８記載の携帯機器ケース又は
カバー。
【請求項３１】
携帯電話／機器ケース又はカバーは３Ｄカメラ、３Ｄビューアー又は３Ｄビューアーシ
ートを有し、携帯機器用の防水ケース／カバーとして使用されるように作成され、水中に
ある間、携帯機器のタッチパネルを使用できることを特徴とする請求項１記載の携帯機器
ケース又はカバー。
【請求項３２】
請求項１記載のカメラにおいて、静止画フレーム及びビデオは携帯電話／機器又は携帯
電話／機器ケース又はカバー自体に格納されることを特徴とする請求項１記載の携帯機器
ケース又はカバー。
【請求項３３】
カメラ／３Ｄカメラによって取り込まれるビデオ又は静止画像は携帯機器に送信されビ
デオ又は静止画像は携帯機器のディスプレイ又は画面上で視見され、ビデオ又は静止画像
データの送信は無線送信又は有線送信を使用して行うことができ、無線送信の例はｗｉ−
ｆｉ及びブルートゥース送信であり、携帯機器の例は携帯電話／機器、タブレットレット
、ｉｐａｄであることを特徴とする請求項１記載の携帯機器ケース又はカバー。
【請求項３４】
レンチキュラーレンズ又はレンチキュラーレンズアレイの集成体及びマイクロ機能素ア
レイの集成体から成る３Ｄビューアーシートは一緒に組み合わされ３Ｄディスプレイを形
成し、携帯機器又はテレビのディスプレイ画面上に配置されて携帯機器のディスプレイに
表示されるコンテンツを視見する者に立体視（映像）の提供を可能にし、携帯機器、テレ
ビ又は立体ディスプレイのディスプレイに表示されるコンテンツの３Ｄ映像又は３Ｄ視見
を可能にすることを特徴とする請求項１記載の携帯機器ケース又はカバー。
【請求項３５】
レンチキュラーレンズ又はレンチキュラーレンズアレイの集成体及び平行線アレイの集
成体から成る３Ｄビューアーシートは一緒に組み合わされ３Ｄディスプレイを形成し、携
帯機器のディスプレイ画面上に配置されて携帯機器のディスプレイに表示されるコンテン
ツを視見する者に立体視（映像）の提供を可能にし、携帯機器のディスプレイ又は立体デ
ィスプレイに表示されるコンテンツの３Ｄ映像又は３Ｄ視見を可能にし、上記シートは、
カメラ、携帯電話／機器、ｉｐａｄ、タブレット、ラップトップ、ＰＣモニタ、テレビ又
は他の適用可能な機器のディスプレイ又はディスプレイ画面に取り付けることができ、ソ
フトウェアプリケーションがディスプレイと共に使用され、画像又はビデオをディスプレ
イと互換性のあるモードに変換し所望の立体視を達成して３Ｄ視見実感を視見者に提供す
ることを特徴とする請求項１記載の携帯機器ケース又はカバー。
【請求項３６】
カメラは回転したときに全右回りビュー又はカメラによって見られるビューの３Ｄ又は
２Ｄの画像／ビデオを記録するために使用することができ、記録された画像／ビデオはカ
メラ又は携帯機器上で再生することができて、ユーザは画像／ビデオを見ている者が観る
ことを望む方向に携帯機器を回転又は向けることによって全周囲ビューを視見することが
できることを特徴とする請求項１記載の携帯機器ケース又はカバー。
【請求項３７】
カメラ、請求項１記載の３Ｄビューアーシート及び請求項３６に記載の方法は３Ｄビュ
ーアーシートに一体化される携帯機器のカバー／ケースを使用することによって使用され
携帯機器のユーザによる向上した現実実感をもたせることができることを特徴とする請求
項１記載の携帯機器ケース又はカバー。
【請求項３８】
３Ｄ又は２Ｄビューアー及びジャイロスコープと一体化される携帯機器カバーが用いら
れてビデオを記録し、記録されたビデオの３Ｄ向上現実感を視見者に提供し、これは地図
アプリケーションと方向提供アプリケーションで使用できることを特徴とする請求項１記
載の携帯機器ケース又はカバー。
【請求項３９】
３ＤカメラはＣＣＴＶアプリケーションに使用することができ、３Ｄビューアーシート
は適切なソフトウェアとともにＣＣＴＶモニタ上で使用されて、ＣＣＴＶカメラによって
取り込まれる３Ｄ画像を視見することができることを特徴とする請求項１記載の携帯機器
ケース又はカバー。
【請求項４０】
レンチキュラーレンズ又はレンチキュラーレンズアレイの集成体、平行線アレイの集成
体、マイクロ及びナノ構造アレイの集成体の透明基板又はシートから成る３Ｄビューアー
シートが一緒に結合されて３Ｄビューアーシートを形成し、携帯機器又はテレビのＬＥＤ
／ＬＣＤ／ＴＦＴ／プラズマディスプレイに表示されるコンテンツを視見している者に立
体視（映像）の提供を可能にし、携帯機器又はテレビに表示されるコンテンツの３Ｄ映像
又は３Ｄ視見を可能にすることを特徴とする請求項１記載の携帯機器ケース又はカバー。
【請求項４１】
３Ｄビューアーシートはカメラ、携帯電話／機器、ｉｐａｄ、タブレット、ラップトッ
プ、ＰＣモニタ、テレビ又は他の適用可能な装置のディスプレイ又はディスプレイ画面に
取り付けられ、ソフトウェアプリケーションが携帯機器又はテレビ上で使用され、画像又
はビデオをディスプレイと互換性のあるモードに変換し、所望の立体視を達成して３Ｄ視
見実感を視見者に提供することを特徴とする請求項１記載の携帯機器ケース又はカバー。
【請求項４２】
ソフトウェアプリケーションがディスプレイとともに使用され、画像又はビデオをディ
スプレイと互換性のあるモードに変換し、所望の立体視を達成して３Ｄ視見実感を視見者
に提供することを特徴とする請求項１記載の携帯機器ケース又はカバー。
【請求項４３】
カメラはレンズアセンブリを備え、レンズアセンブリは、レンズアセンブリの視野にあ
る被写体又は景面の２次元平面に形成される３次元透視ビュー又は３次元領域に形成され
る３次元透視ビュー又は３次元被写体に形成される３次元透視ビュー又はレンズアセンブ
リの視野内にある被写体又は景面の３次元静止画又はビデオ画像又は３次元透視画像又は
３次元透視ビデオ又は３次元透視ビューを画像平面又は画像センサ上に作成し、レンズア
センブリの視野内にある被写体又は景面の３次元画像又は３次元透視画又は３次元透視ビ
ューはレンズアセンブリから一定の距離に維持される第１の焦点面上に形成され、画像セ
ンサが３次元透視ビデオ又は静止画を記録するために配置され、カメラシステムは被写体
又は景面の２次元平面又は３次元画像又は３次元透視画又は３次元透視ビュー上に形成さ
れる３次元透視ビューをソフトウェア及びハードウェアを組み合わせて使用して高品質の
３次元ビデオ及び静止画像に変換し、レンズアセンブリは複数の距離に由来する複数の光
線を画像センサ上に同時に焦合することを特徴とする請求項１記載の携帯機器ケース又は
カバー。
【請求項４４】
カメラはレンズアセンブリの視野内にある被写体又は景面の３次元画像又は３次元透視
画又は３次元透視ビューを記録することができレンズアセンブリから一定の距離に維持さ
れる第１の焦点面上に形成され、画像センサは３次元透視ビデオ又は静止画を記録し、及
び／又は３次元透視ビューを有する２次元のビデオ及び／又は静止画を記録するために配
置され、３次元透視ビューは適切な３Ｄディスプレイ上で３Ｄ（即ち３次元）で視見する
ことができるフォーマットに変換されることを特徴とする請求項１記載の携帯機器ケース
又はカバー。
【請求項４５】
携帯機器ケース又はカバーはカメラシステム及び非電気的３Ｄビューアーと一体化され
、２次元（２Ｄ）及び３次元（３Ｄ）ビデオ動画及び静止画を記録することができ、
着脱可能な３Ｄディスプレイシステムを使用して３次元ビデオ／静止画の両方を視見する
ことができ、独特なディスプレイが使用され３Ｄ及び２Ｄビデオ／静止画を両方同時に視
見することができることを特徴とする請求項１記載の携帯機器ケース又はカバー。
【請求項４６】
３Ｄビューアーシートはその機能するために電気を必要としないことを特徴とする請求
項１記載の携帯機器ケース又はカバー。
【請求項４７】
３Ｄディスプレイシートは携帯電話／機器又はテレビの通常のディスプレイを３Ｄを視
見するために特殊な眼鏡を着用する必要のない３Ｄディスプレイに変換することを特徴と
する請求項１記載の携帯機器ケース又はカバー。
【請求項４８】
３Ｄディスプレイシートは、以下の機能を有する図３９に示す３Ｄ／マルチビデオ及び
静止フレームビューアーとすることができ、
図３９に示すように複数のビデオ又は静止画を同じディスプレイ画面で視見している複数
のユーザ（３９２０）、（３９３０）、（３９４０）に同時に投影し、３Ｄマルチビデオ
／静止フレームビューアーが使用され、３Ｄビデオ／静止画像両方を着脱可能な３Ｄディ
スプレイシステムを使用して視見することができ、
携帯電話／機器又はテレビのディスプレイ画面の様々なピクセル（３９５０）は様々なビ
デオ又は静止画像を同時に表示することができ、複数の異なる者は同じ携帯機器画面又は
テレビ上で異なるビデオ又は静止コンテンツを同時に視見することができ、
独特なディスプレイが使用され３Ｄ及び２Ｄビデオ及び／又は静止画像の両方を同時に視
見することができることを特徴とする請求項１記載の携帯機器ケース又はカバー。
【請求項４９】
カメラは光学画像安定化装置から構成され、光学画像安定化装置は、
ハウジングに取り付けられる１つ以上の永久磁石、
オーディオスピーカのボイスコイルに似た１つ又は複数の中空電気コイル４０４０又は
ボイスコイル、
光モジュールに取り付けられ光モジュールは電流の流れを制御することによって移動さ
せることができる電気コイルから成り、
中空の電気コイルは永久磁石に近接して、電流がコイルに通電するときにコイルと永久
磁石との間に電磁相互作用が生じ、
光モジュールは、可動及び可撓性マウント又はワイヤ又は基板によってハウジングに取
り付けられ、
電気コイルに電流を供給する電子回路、
所定の時点で電流の方向を決定するフィードバック機構又は回路及び電子制御回路から
成ることを特徴とする請求項１記載の携帯機器ケース又はカバー。
【請求項５０】
カメラはＨＤＭＩ出力、ビデオ／オーディオ出力、無線出力、ｗｉ−ｆｉ出力、ブルー
トゥース出力、シリアル出力、パラレル出力、パケット出力又は他の適切な出力を有する
ことを特徴とする請求項１記載の携帯機器ケース又はカバー。
【請求項５１】
多目的携帯機器ケース／カバーは携帯機器のディスプレイ上に表示されるコンテンツを
投影画面又は壁に投影することができるビデオ／静止画像プロジェクタを含むことができ
、レンズシステムが携帯機器のディスプレイ及び投影画面／壁との間に配置され携帯機器
のディスプレイに表示されるコンテンツを画面又は壁に投影することを特徴とする請求項
１記載の携帯機器ケース又はカバー。
【請求項５２】
多目的携帯機器ケース／カバーはデジタルライトプロセッサ（ＤＬＰ）タイプ機器と一
体化され携帯機器ディスプレイに表示されるコンテンツを３Ｄ又は２Ｄで画面又は壁上に
投影することができることを特徴とする請求項１記載の携帯機器ケース又はカバー。
【請求項５３】
携帯機器ケース／カバーはヒンジによってアームに接続される３Ｄカメラを有してカバ
ーが持ち上げられて上方に回転することを可能にする特徴とする請求項１記載の携帯機器
ケース又はカバー。
【請求項５４】
携帯機器ケース又はカバーは携帯機器カメラ用の開口を有し、アームが上方に持ち上げ
られてユーザが自撮りを便利に使用して撮ることができるようにし、アームは元に折り曲
げることによって電話ケース上に戻して取り付けてキャビティ上に載せることができ、こ
の形態によりユーザは自分の電話の前面からまた背面から写真を撮ることができることを
特徴とする請求項１記載の携帯機器ケース又はカバー。
【請求項５５】
携帯機器ケース又はカバーは携帯機器に接続可能な充電コネクタ及び着脱可能かつ交換
可能であり、カメラ又はバッテリー又は他のシステム又は機器の何れかを保持することが
できる小型ボックスを有することを特徴とする請求項１記載の携帯機器ケース又はカバー
。
【請求項５６】
携帯機器ケース又はカバーは交換可能なボックスの内部に３Ｄカメラを有することを特
徴とする請求項１記載の携帯機器ケース又はカバー。
【請求項５７】
携帯機器ケース又はカバーはカバーの内部に配置された２つのカメラモジュールを有し
、簡単かつ使い易くすることを特徴とする請求項１記載の携帯機器ケース又はカバー。
【請求項５８】
携帯機器ケース又はカバーはボックスが交換可能であることから独特かつ多機能であり
、２Ｄ又は３Ｄカメラ、バッテリー充電器又は健康モニタを保持することができることを
特徴とする請求項１記載の携帯機器ケース又はカバー。
【請求項５９】
携帯機器ケース又はカバーは１つの着脱可能なユニットとして２つのカメラモジュール
を有し、その一方はズームして３Ｄを視見するために使用され、他方は高品質の２Ｄで視
見するために使用されることを特徴とする請求項１記載の携帯機器ケース又はカバー。
【請求項６０】
携帯機器ケース又はカバーはディスプレイに取り付けられるレンチキュラーシート及び
携帯機器の前面に埋め込まれるオーディオスピーカを有することを特徴とする請求項１記
載の携帯機器ケース又はカバー。
【請求項６１】
携帯機器ケース又はカバーはスタイラス及び着脱可能なカメラユニットを有することを
特徴とする請求項１記載の携帯機器ケース又はカバー。
【請求項６２】
携帯機器ケース又はカバーは２つの３Ｄカメラモジュール及びスタンドを有することを
特徴とする請求項１記載の携帯機器ケース又はカバー。
【請求項６３】
携帯機器ケース又はカバーは携帯機器のパッケージを有することを特徴とする請求項１
記載の携帯機器ケース又はカバー。
【請求項６４】
携帯機器ケース又はカバーは複数の画像センサを含む電子回路を有して２Ｄ画像フレー
ム、並列画像フレーム、フル幅画像、ハーフ幅を出力可能な画像フレームデータ合成モジ
ュールに接続され、その入力が２つの画像センサからの２つの別々の画像フレームであり
、出力がアプリケーションプロセッサ及び無線送信機モジュールに入力されデータの無線
送信がなされることを特徴とする請求項１記載の携帯機器ケース又はカバー。
【請求項６５】
携帯機器ケース又はカバーはストリップ及び接着材料によって携帯機器上に取り付けら
れているレンチキュラーシートを有することを特徴とする請求項１記載の携帯機器ケース
又はカバー。
【請求項６６】
３Ｄカメラは２つの左側、右側のアームを有するＶ字型光学部品から成り被写体からの
光を画像センサ装置に導光するための光案内として作用し、被写体の２つの画像がＶ字型
光学部品の視野内に形成されることを特徴とする請求項７記載の携帯機器ケース又はカバ
ー。
【請求項６７】
３Ｄカメラは光を収光して焦合する２つの対物レンズ及び画像センサ上に画像を焦合す
る１つのレンズから成り、これらのレンズは請求項６６記載のＶ字型光学部品と距離をお
いて又は接触して配置されていることを特徴とする請求項７記載の携帯機器ケース又はカ
バー。
【請求項６８】
カメラは２つのグループが２つ配置された４つのプリズムから成り、１つのグループに
おいて、１つのプリズムに入射する光は第１のプリズムにおける内部全反射に因り第２の
プリズムに反射され、第２のプリズムに入射する光は第２のプリズムにおける内部全反射
に因り画像センサ上に反射され２つのプリズムグループに因り並列画像を画像センサ上に
形成することを特徴とする請求項７記載の携帯機器ケース又はカバー。
【請求項６９】
三次元カメラは光を収光して焦合する２つの対物レンズ及び画像センサ上に画像を焦合
する１つのレンズから成り、これらのレンズは請求項６８記載のプリズムと距離をおいて
又は接触して配置されていることを特徴とする請求項７記載の携帯機器ケース又はカバー
。
【請求項７０】
３Ｄビューアーは液晶ディスプレイ、薄膜トランジスタ、有機発光ダイオード又は発光
ダイオードディスプレイなどの画像ディスプレイ画面と接触し又は接触することなく近接
している波形状透明ポリマーシートから成ることを特徴とする請求項７記載の携帯機器ケ
ース又はカバー。
【請求項７１】
３Ｄビューアーは
液晶ディスプレイ、薄膜トランジスタ、有機発光ダイオード又は発光ダイオードディスプ
レイなどの画像ディスプレイ画面上に配置される保護ガラス板又はタッチパネルと接触又
は接触することなく近接している波形状透明ポリマーシートから成ることを特徴とする請
求項７記載の携帯機器ケース又はカバー。
【請求項７２】
３Ｄビューアーは上部で互いに接触して配置される２つの波形状透明ポリマーシートか
ら成り、その波形状は互いに平行なシートであり、画像ディスプレイ画面が透明ポリマー
の何れかに近接又は接触していることを特徴とする請求項７記載の携帯機器ケース又はカ
バー。
【請求項７３】
３Ｄビューアーは上部で互いに接触して配置される２つの波形状透明ポリマーシートか
ら成り、その波形状は互いに平行なシートではなく、画像ディスプレイ画面は近接してい
るか又は接触していることを特徴とする請求項７記載の携帯機器ケース又はカバー。
【請求項７４】
３Ｄビューアーは耐擦傷性硬質被膜から成ることを特徴とする請求項７記載の携帯機器
ケース又はカバー。
【請求項７５】
３Ｄビューアーは３Ｄピクセルから成る多方向３Ｄビューアーで構成され、これらの３
Ｄピクセルは多角形ベースを基に画像ディスプレイ画面のピクセル間の同長ギャップをも
つピラミッド形状を有することを特徴とする請求項７記載の携帯機器ケース又はカバー。
【請求項７６】
波形状透明ポリマーシートはレンチキュラーシート、ダイヤモンドシート、プリズムシ
ート又はこれらの組み合わせであることを特徴とする請求項７０乃至請求項７３記載の携
帯機器ケース又はカバー。
【請求項７７】
３Ｄカメラは携帯電話／装置のケースに対して回転し旋回可能であり、その縁部は面取
りされることを特徴とする請求項７記載の携帯機器ケース又はカバー。
【請求項７８】
携帯機器ケースはデジタル光プロセッサを使用して作成される２Ｄ／３Ｄ画像プロジェ
クタから成ることを特徴とする請求項７記載の携帯機器ケース又はカバー。
【請求項７９】
携帯機器カバーは携帯機器の音声を増幅し、物理的に接触することによって携帯機器の
スピーカに接続される音声パイプ及びキャビティシステムを有する受動オーディオアンプ
モジュールから成ることを特徴とする請求項７記載の携帯機器ケース又はカバー。
【請求項８０】
携帯機器カバーは携帯機器の音声を増幅し、無線通信によって携帯機器に接続される音
声パイプ及びキャビティシステムを有する能動オーディオアンプモジュールから成ること
を特徴とする請求項７記載の携帯機器ケース又はカバー。
【請求項８１】
携帯機器カバーは携帯機器のメモリバンクであるモジュールから成り、携帯機器カバー
の携帯機器及びメモリバンクは無線通信を介してデータ及び情報を交換することができる
ことを特徴とする請求項７記載の携帯機器ケース又はカバー。
【請求項８２】
携帯機器カバーは健康モニタであるモジュールから成ることを特徴とする請求項７記載
の携帯機器ケース又はカバー。
【請求項８３】
携帯機器カバーは３６０°カメラから成ることを特徴とする請求項７記載の携帯機器ケ
ース又はカバー。
【考案の詳細な説明】
【技術分野】
【０００１】
本考案は、その実施例におけるように携帯機器に関する。
【背景技術】
【０００２】
携帯電話／機器用の３Ｄカメラ及び３Ｄ／２Ｄディスプレイ一体型ケースに関する従来
技術は存在しない。
【考案の概要】
【考案が解決しようとする課題】
【０００３】
３Ｄディスプレイに関して、総ての従来技術は任意の時間に３Ｄ画像又は２Ｄ画像の何
れかを視見することができる電気的に動作可能な３Ｄディスプレイに係わっている。
【課題を解決するための手段】
【０００４】
カメラシステム及び３Ｄ／マルチビデオ及び静止フレームビューアーと一体化される独
特な携帯電話／機器ケース又はカバーが開示され、これは２次元（２Ｄ）及び３次元（３
Ｄ）ビデオ動画及び静止写真をそのカメラを使用して録画することができ、またこれを使
用し３Ｄビデオ／静止画像両方を着脱可能の３Ｄディスプレイシステムを使用して視見す
ることができる。ここに開示される独特なディスプレイは、３Ｄ及び２Ｄビデオ／静止画
像両方を同時に視見するために使用することができる。さらに、３Ｄ／マルチビデオ及び
静止フレームビューアーは、図３９に示すように、マルチビデオ又は静止画像を同じディ
スプレイ画面を観ている複数のユーザに同時に投影することができる。
【０００５】
本考案の１つの実施例は、ビデオ及び静止画像を録画できる低コストビデオカメラ及び
画像形成（静止画像撮り）カメラを作製する方法及びシステムに関する。
【０００６】
この全ての領域の３Ｄ焦点合わせを達成するための様々な構成が考えられ、これはカメ
ラの光学系を通して画像センサ又はフィルム上で視見することができてビデオ動画又は静
止写真を取り込むために使用される。
【０００７】
独特なケースを有するカメラシステムが開示され、これは２次元（２Ｄ）及び３次元（
３Ｄ）ビデオ動画及び静止写真を録画することができ、ここに開示される着脱可能の３Ｄ
カメラシステムを使用して３Ｄビデオ及び写真を視見するために使用することができる。
【０００８】
カメラは、ここに開示される独特な光学システムを使用することによって、ズーム、望
遠又はミクロ能力を持たせることができる。ここに開示されるカメラは携帯電話／機器に
おいて又はそれと共に使用して、３次元（３Ｄ）及び任意のビデオ撮影又は写真撮影アプ
リケーションにおいて、「自撮り」として一般に知られているセルフ（自分自身で）写真
又はビデオを取り込むことができる。
【０００９】
さらに、３Ｄカメラは、このカメラ及び３Ｄディスプレイを携帯電話／機器ケース、タ
ブレットレットケース又はｉｐａｄ(登録商標)タイプ機器ケースに一体化することによっ
て、携帯電話／機器、タブレットレット、ｉｐａｄタイプ機器と共に使用することができ
る。３Ｄ静止写真及び３Ｄビデオ動画は、ここに開示される適切な３Ｄディスプレイを使
用することによって、専用眼鏡を使用することなく例えば携帯電話／機器、タブレットレ
ットＰＣ、タブレット、パッドなどの携帯電話／機器で視見することができ、この３Ｄデ
ィスプレイは２Ｄディスプレイ能力をゆがめられることがなく同時に３Ｄ及び２Ｄ両方を
視見することを可能にする。
【００１０】
ここに開示されるカメラシステムは、２次元ビデオ及び静止画像を提供し、これは完全
に焦点合わせられ、ぼかし領域を有さない視野内での総ての被写体を画像センサ上に３次
元透視画像を形成することができ、これによって高品質の３次元ビデオ及び静止画像を得
る。
【００１１】
そのアプリケーションエリアは、携帯電話／機器、ラップトップ、スマートフォン、携
帯マルチメディア／／機器、ウェブカム、ビデオカメラ、カムコーダ（ＶＴＲ一体型ビデ
オカメラ）、デジタル一眼レフカメラ、デジタルカメラ、写真フィルムカメラ、医療カメ
ラ及びコンパクトカメラモジュール、携帯電話／機器カメラ、３次元深度マッピング、ホ
ログラフィ、深度検知、ビデオ／画像プロジェクタなどの携帯通信に適用される。
【図面の簡単な説明】
【００１２】
【図１】図１は、携帯電話／機器ケースに一体化される３Ｄカメラ及び３Ｄビューアーを示す。
【図２】図２は、携帯電話／機器ケースに一体化される３Ｄカメラ及び３Ｄビューアーを示し、３Ｄカメラは回転されて、３Ｄカメラをメインカメラ及び自撮りカメラとして使用可能にする。
【図３】図３は、携帯電話／機器ケースに一体化される３Ｄカメラ及び３Ｄビューアーを示し、３Ｄカメラはさらに回転されて、３Ｄカメラをメインカメラ及び自撮りカメラとして使用可能にする。
【図４】図４は、携帯電話／機器ケースに一体化される３Ｄカメラ及び３Ｄビューアーを示し、３Ｄカメラは完全に回転されて、３Ｄカメラをメインカメラとして使用可能にする。
【図５】図５は、３Ｄカメラで取り込まれ、携帯電話／機器ケースに取り付けられる携帯電話／機器（画面）内に表示された画像を示す。
【図６】図６は、３Ｄカメラで取り込まれ、携帯電話／機器ケースに取り付けられる携帯電話／機器（画面）内に表示された画像を示し、３Ｄディスプレイは携帯電話／機器（画面）の上部に配置されている。
【図７】図７は、３Ｄカメラで取り込まれ、携帯電話／機器ケースに取り付けられる携帯電話／機器（画面）内に表示された画像を示し、携帯電話／機器（画面）の上部に配置される３Ｄディスプレイ及び画像は３Ｄで視見することができる。
【図８】図８は、携帯電話／機器ケースに一体化される３Ｄカメラ及び３Ｄビューアーを示し、３Ｄカメラは携帯電話／機器ケースから取り外されて、３Ｄカメラをメインカメラ及び自撮りカメラとして使用可能にする。
【図９】図９は、携帯電話／機器ケースに一体化される３Ｄカメラ及び３Ｄビューアーを示し、３Ｄカメラは携帯電話／機器ケースから取り外されて、３Ｄカメラをメインカメラ及び自撮りカメラとして使用可能にして別の位置に配置されている。
【図１０】図１０は、携帯電話／機器ケースに一体化される３Ｄカメラ及び３Ｄビューアーを示し、３Ｄカメラは携帯電話／機器ケースに対して２本の直交軸の周りに回転されて、３Ｄカメラをメインカメラ及び自撮りカメラとして使用可能にする。
【図１１】図１１は、携帯電話／機器ケースに一体化される３Ｄカメラ及び３Ｄビューアーを示し、３Ｄカメラは携帯電話／機器ケースに対して１本の軸の周りに回転されて、３Ｄカメラをメインカメラ及び自撮りカメラとして使用可能にする。
【図１２】図１２は、携帯電話／機器ケースに一体化される３Ｄカメラ及び３Ｄビューアーを示し、３Ｄカメラは携帯電話／機器ケースに対して１本の軸の周りにさらに回転されて、３Ｄカメラをメインカメラ及び自撮りカメラとして使用可能にする。
【図１２ａ】図１２ａは、携帯電話／機器ケースに一体化される３Ｄカメラ及び３Ｄビューアーを示し、３Ｄカメラは携帯電話／機器ケースに対して１本の軸の周りに完全に回転されて、３Ｄカメラをメインカメラ及び自撮りカメラとして使用可能にする。
【図１３】図１３は、携帯電話／機器ケースに一体化される３Ｄカメラ及び３Ｄビューアーを示し、３Ｄカメラは携帯電話／機器ケースに対して１本の軸の周りに回転されて、３Ｄカメラをメインカメラ及び自撮りカメラとして使用可能にする。
【図１４】図１４は、携帯電話／機器ケースに一体化される３Ｄカメラ及び３Ｄビューアーを示し、３Ｄカメラは携帯電話／機器ケースに対して１本の軸の周りに完全に回転されて、３Ｄカメラをメインカメラ及び自撮りカメラとして使用可能にして、カメラは携帯電話／機器ケースの背面から観ることで見える。
【図１５】図１５は、携帯電話／機器ケースに一体化される３Ｄカメラ及び３Ｄビューアーを示し、カメラはサムホイールに取り付けられる複数のレンズを有し、これで異なるレンズが使用／交換されて複数の光学効果（ズーム、望遠、マルチ画像など）を持たせることができる。
【図１５ａ】図１５ａは、携帯電話／機器ケースに一体化されるカメラを示し、カメラはサムホイールに取り付けられる複数のレンズを有し、これで異なるレンズが使用／交換されて複数の光学効果（ズーム、望遠、マルチ画像など）を持たせることができる。
【図１５ｂ】図１５ｂは、携帯電話／機器ケースに一体化されるカメラを示し、カメラはサムホイールに取り付けられる複数のレンズを有し、これで異なるレンズが使用／交換されて複数の光学効果（ズーム、望遠、マルチ画像など）を持たせることができる。
【図１５ｃ】図１５ｃは、携帯電話／機器ケースに一体化されるカメラを示し、カメラはサムホイールに取り付けられる複数のレンズを有し、これで異なるレンズが使用／交換されて複数の光学効果（ズーム、望遠、マルチ画像など）を持たせることができる。
【図１６】図１６は、携帯電話／機器ケースに一体化される３Ｄカメラ及び３Ｄビューアーを示し、カメラはサムホイールに取り付けられる複数のレンズを有し、これで異なるレンズが使用／交換されて複数の光学効果（ズーム、望遠、マルチ画像など）を持たせることができ、カメラは複数の軸の周りに回転されるように示されている。
【図１７】図１７は、携帯電話／機器ケースに一体化される３Ｄカメラ、３Ｄビューアー及びカメラフラッシュを示し、カメラはサムホイールに取り付けられる複数のレンズを有し、これで異なるレンズが使用／交換されて複数の光学効果を持たせることができ、カメラは複数の軸の周りに回転されるように示されている。
【図１８】図１８は、携帯電話／機器ケースに一体化される３Ｄカメラ、３Ｄビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数の軸の周りに回転されるように示されている。
【図１８ａ】図１８ａは、携帯電話／機器ケースに一体化される３Ｄカメラ、３Ｄビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数の軸の周りに回転されるように示され、フリップカバー及び３Ｄビューアーは円形の端縁を有している。
【図１９】図１９は、携帯電話／機器ケースに一体化される３Ｄカメラ、３Ｄビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数のレンズを有するサムホイールを連結するものとして示されている。
【図２０】図２０は、携帯電話／機器ケースに一体化される３Ｄカメラ、３Ｄビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数のレンズを有するサムホイールを連結するものとして示され、カメラは複数の軸の周りに回転されるように示されている。
【図２１】図２１は、携帯電話／機器ケースに一体化される３Ｄカメラ、３Ｄビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数のレンズを有するサムホイールを連結するものとして示されている。
【図２２】図２２は、携帯電話／機器ケースに一体化される３Ｄカメラ、３Ｄビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数のレンズを有するサムホイールを連結するものとして示され、カメラは使用後に電話ケースの中に滑り込ませることができる。
【図２３】図２３は、携帯電話／機器ケースに一体化される３Ｄカメラ、３Ｄビューアー、無線通信回路、信号処理回路及び電池を備える電子機器を示し、カメラはサムホイールに取り付けられる複数のレンズを有し、これで異なるレンズが使用／交換されて複数の光学効果を持たせることができ、カメラは複数のレンズを有するサムホイールを連結するものとして示され、さらにカメラは使用後に電話ケースの中に滑り込ませることができる。
【図２４】図２４は、カメラが引込められるときの電話ケースの背面を示す。
【図２５】図２５は、携帯電話／機器ケースに一体化されるカメラを示し、カメラはフラッシュが装備されている。
【図２６】図２６は、携帯電話／ケースに一体化されるカメラ、ビューアー、無線通信回路、信号処理回路及びバッテリーを備える電子機器を示し、カメラはサムホイールに取り付けられる複数のレンズを有し、これで異なるレンズが使用／交換されて複数の光学効果を持たせることができ、カメラは複数のレンズを有するサムホイールを連結するものとして示され、カメラは使用後に電話ケースの中に滑り込ませることができ、カメラはフラッシュが装備されている。
【図２７】図２７は、電話ケースに恒久的に固定される３Ｄカメラを示す。
【図２８】図２８は、携帯電話／機器ケースに一体化される３Ｄカメラ、３Ｄビューアー、無線通信回路、信号処理回路及びバッテリーを備える電子機器を示し、３Ｄビューアー及びフレネルレンズビューアーは電話ディスプレイ画面と画面を観ている人の目との間に配置される。
【図２８ａ】図２８ａは、携帯電話／機器のディスプレイ上のコンテンツを画面上に投影する方法を示す。
【図２８ｂ】図２８ｂは、携帯電話／機器のディスプレイ上のコンテンツを画面上に投影する方法の断面図を示す。
【図２９】図２９は、携帯電話／機器ケースに一体化される３Ｄカメラ、３Ｄビューアー、無線通信回路、信号処理回路及びバッテリーを備える電子機器を示し、フレネルレンズビューアーは電話ディスプレイ画面と画面を見ている人の目との間に配置される。
【図３０】図３０は、３Ｄカメラの２つのカメラで取り込まれる２つの画像を表示する別のモードを示す。
【図３１】図３１は、３Ｄカメラの２つのカメラで取り込まれる２つの画像を表示する別のモードを示す。
【図３２】図３２は、３Ｄカメラの２つのカメラで取り込まれる２つの画像を表示する別のモードを示す。
【図３３】図３３は、３Ｄカメラの２つのカメラで取り込まれる２つの画像を表示する別のモードを示す。
【図３４】図３４は、ディスプレイ（例えば、携帯電話／機器画面又はＴＶ画面）上に配置されたときの３Ｄビューアーシートの機能素の一部を示す。
【図３５】図３５は、ディスプレイ（例えば、携帯電話／機器画面又はＴＶ画面）上に配置されたときの３Ｄビューアーシートの機能素の一部を示す。
【図３６】図３６は、ディスプレイ（例えば、携帯電話／機器画面又はＴＶ画面）上に配置されたときの３Ｄビューアーシートの機能素の一部を示す。
【図３７】図３７は、ディスプレイ（例えば、携帯電話／機器画面又はＴＶ画面）上に置かれたときの３Ｄビューアーシートの機能素の一部を示す。
【図３８】図３８は、一眼レフ（ＳＬＲ）又はデジタル一眼レフカメラに使用される（又はマウントされる）３Ｄカメラを示す。
【図３９】図３９は、携帯電話／機器のディスプレイ（例えば、携帯電話／機器画面又はＴＶ画面）上に一体化される、３Ｄ／マルチビデオ及び静止フレームビューアーの断面を示す。
【図４０】図４０は独特な「光学画像安定化装置」の概略図を示し、図１〜４０に図示されているのは「３Ｄ及び／又は２Ｄ高品質ビデオ撮影、写真撮影、自撮り録画用のカメラシステム及び３Ｄビューアーシートと一体化される多目的携帯機器ケース／カバー」の形態の一部であるが、これらの図示に限定されない。
【図４１】図４１は、ヒンジの周りに回転することができる３Ｄカメラを有する携帯電話／機器カバーを示す。
【図４２】図４２は、携帯電話／機器カバーを示し、３Ｄカメラはヒンジによって接続されるアームに取り付けられ、このヒンジでアームをカバーから持ち上げて上方に回転させる。
【図４３】図４３は、カバーの内側を示し、携帯電話／機器に接続できる充電コネクタと、着脱可能、交換可能で、カメラ又はバッテリー又は他の互換性のある部品又はシステム又は／／機器を保持できる小さなボックスとが設けられている。
【図４４】図４４は、ボックス内の３Ｄカメラを示しており、携帯電話／機器カバーから取り外すことができる。
【図４５】図４５は、カバーの内側に配置された３Ｄカメラを示す。
【図４６】図４６は、ボックスを埋め込んで２Ｄ又は３Ｄカメラ、バッテリー充電器又はヘルスモニタ又は他の適切な装置を内蔵するカバーを示す。
【図４７】図４７は、１つの着脱可能なユニットとしての２つのカメラを示し、その１方は３Ｄをズームして視見し、他方は高品質の２Ｄを視見する。
【図４８】図４８は、携帯電話／機器を示し、着脱可能なレンチキュラーシート（レンチキュラーシート）がディスプレイ上に取り付けられ、携帯電話／機器カバーに挿入され背面にカメラを備え、オーディオスピーカがケースの前面に埋め込まれている。
【図４９】図４９は、携帯電話／機器ケース又はカメラケースに一体化される取外し可能なカメラユニットを示し、カメラケースは着脱可能なカメラユニットによって取り込まれるビデオ、写真を視見するための３Ｄ／２Ｄディスプレイ画面を含むことができ、この着脱可能なカメラユニットはｗｉｆｉ又は高品質光通信などの無線通信回路によってカメラケースに接続される。
【図５０】図５０は、携帯電話／機器ケースの背面図を示し、カバーのためのスタンドを備えている。
【図５１】図５１は、携帯電話／機器ケースとスタイラス（電子ペン）のパッケージングを示す。
【図５２】図５２は、３Ｄカメラユニットの電子ブロック図を示す。
【図５３】図５３は、レンチキュラーシートを携帯電話／機器に取り付ける１つの方法を示し、容易に取り付け及び取り外しできるようにするものである。
【図５４】図５４は、スタイラス本体の先端に取り付けられる透明導電性ディスクを有するスタイラスを示す。
【図５５】図５５は、回転又は旋回可能なスタイラスの３つの異なる位置を示す。
【図５６】図５６は、単一の画像センサを使用して並列画像／ビデオを取り込むことができる３Ｄカメラを作製するために使用されるＶ字型光学部品を示す。
【図５７】図５７は、単一の画像センサを使用して２つの対物レンズ及び１つの焦点合わせレンズで並列画像／ビデオを取り込むことができる３Ｄカメラを作製するために使用されるＶ字型光学部品の断面を示す。
【図５８】図５８は、画像を画像センサ上に焦点合わせさせるために単一の画像センサを使用して１つのレンズで並列画像／ビデオを取り込むことができる３Ｄカメラを作製するために使用されるＶ字型光学部品の断面図を示す。
【図５９】図５９は、単一の画像センサを使用して２つの取り付けられる対物レンズ及び１つの取り付けられる焦点合わせレンズで並列画像／ビデオを取り込むことができる３Ｄカメラを作製するために使用されるＶ字型光学部品の断面を示す。
【図６０】図６０は、単一の画像センサを使用して４つのプリズムを利用し２つの対物レンズ及び１つの焦点合わせレンズで並列画像／ビデオを取り込むことができる３Ｄカメラを作製するために使用される光学部品の断面を示す。
【図６１】図６１は、単一の画像センサを使用して４つのプリズムを利用し画像を画像センサに焦点合わせる１つのレンズで並列画像／ビデオを取り込むことができる３Ｄカメラを作製するために使用される光学部品の断面を示す。
【図６２】図６２は、単一の画像センサを使用して４つのプリズムを利用し２つの取り付けられる対物レンズ及び１つの取り付けられる焦点レンズで並列画像／ビデオを取り込むことができる３Ｄカメラを作製するために使用される光学部品の断面を示す。
【図６３】図６３は、平坦側部上で３Ｄビューアーに取り付けられる画像ディスプレイ画面又はテレビ画面を示す。
【図６４】図６４は、波形状側部上で３Ｄビューアーに取り付けられる画像ディスプレイ画面又はテレビ画面を示す。
【図６５】図６５は、互いに平行な平面上に一緒に取り付けられる２つの３Ｄビューアー及び上部波形状表面に取り付けられる画像ディスプレイ画面又はＴＶ画面を示す。
【図６６】図６６は、或る角度で平面上に一緒に取り付けられる２つの３Ｄビューアー及び上部波形状表面上に取り付けられる画像ディスプレイ画面又はＴＶ画面を示す。
【図６７】図６７は、波形状表面に一緒に取り付けられる２つの３Ｄビューアーであってその一方が他方の平坦面に取り付けられるもの及び底部波形状表面上に取り付けられる画像ディスプレイ画面又はＴＶ画面を示し、耐擦傷性の硬質被膜がフィルターの最上部の平坦面に被着される。
【図６８】図６８は、他方の平坦な表面に取り付けられる波形状表面に一緒に取り付けられる２つの３Ｄビューアーであってその一方が他方の平坦面に取り付けられるもの及び上部平坦面に取り付けられる画像ディスプレイ画面又はＴＶ画面を示す。
【図６９】図６９は、２つのタイプの多方向３Ｄビューアーを示す。
【図７０】図７０は、多方向３Ｄビューアーで使用される２つのタイプの光学素子を示す。
【図７１】図７１は、携帯電話／機器カバーの背面図を示し、３Ｄカメラユニットが取り付けられている。
【図７２】図７２は、携帯電話／機器カバーの背面図を示し、取り付けられる２Ｄ又は３Ｄディスプレイを有する取り付けられる３Ｄカメラを備えている。
【図７３】図７３は、携帯電話／機器カバー取付クリップを示す。
【図７４】図７４は、着脱可能な３Ｄカメラユニットを有する携帯電話／機器カバーの別の図を示す。
【図７５】図７５は、開いた位置における携帯電話／機器カバー及び着脱可能なユニットを示す。
【図７６】図７６は、別の位置における携帯電話／機器カバー及び着脱可能なユニットを示す。
【図７７】図７７は、携帯電話／機器ケースの２Ｄ／３Ｄ画像／ビデオプロジェクタを示す。
【図７８】図７８は、受動オーディオ増幅モジュールを示す。
【図７９】図７９は、ブルートゥース（Bluetooth）(登録商標)ユニット及びスピーカを有するオーディオ増幅モジュールを示す。
【図８０】図８０は、受動オーディオ増幅モジュールに取り付けられる携帯電話／機器を示す。
【図８１】図８１は、携帯電話／機器カバー上の携帯電話／機器と着脱可能ユニットとの間の無線又は有線通信を示す。
【考案を実施するための形態】
【００１３】
以下の説明おいて、多数の特定の詳細が示され、本考案の様々な例示的な実施例の完全
な理解を提供する。しかしながら、当業者にとって本考案の実施例は、これらの特定の詳
細の一部又は全部なしで実施され得ることが理解される。他の例において、周知のプロセ
ス動作は詳細には記載することはせず、それで説明される実施例の関連する態様を不必要
に不明瞭なものにしないことにする。
【００１４】
１つの実施例において、３Ｄカメラ１２０は、図１に示されるように、携帯電話／機器
ケース／カバー１１０に一体化された２つのカメラ１３０、１４０及び３Ｄビューアー／
３Ｄビューアーシート１５０を一体化することによって実現される。３Ｄビューアーシー
トはステッカー又は剥離可能なステッカー又はフリップカバーの形態である。フリップカ
バー１６０は携帯電話／機器カバー１１０に追加することもできる。携帯電話／機器１７
０は電話ケース１１０に装着することができる。３Ｄカメラ１２０は携帯機器で動作する
アプリケーションによって制御することができる。この３Ｄビューアー１５０によって、
３Ｄは特殊な眼鏡を使用せずに（即ち、眼鏡不要３Ｄ）観察することができる。
【００１５】
１つの実施例において、図２に示されるように、３Ｄカメラ１２０及び３Ｄビューアー
１５０は携帯電話／機器ケース１１０に一体化され、３Ｄカメラ１２０は回転されて３Ｄ
カメラをメインカメラ及び自撮りカメラとして使用することができる。
【００１６】
１つの実施例において、図３に示すように、３Ｄカメラ１２０及び３Ｄビューアー１５
０は携帯電話／機器ケース１１０に一体化され、３Ｄカメラ１２０はさらに回転されて３
Ｄカメラをメインカメラ及び自撮りカメラとして使用することができる。
【００１７】
１つの実施例において、図４に示すように、３Ｄカメラ１２０及び３Ｄビューアー１５
０は携帯電話／機器ケース１１０に一体化され、３Ｄカメラ１２０は完全に回転されて３
Ｄカメラがメインカメラとして使用される。
【００１８】
１つの実施例において、図５に示されるように、３Ｄカメラ１２０によって取り込まれ
る画像５２０は携帯電話／機器ケース１１０に取り付けられる携帯電話／機器（画面）５
１０に表示されている。
【００１９】
１つの実施例において、３Ｄカメラ１２０によって取り込まれる画像５２０は携帯電話
／機器ケース１１０に取り付けられる携帯電話／機器（画面）５１０に表示されている。
図６に示すように、３Ｄビューアー１５０は携帯電話／機器（画面）の上部に配置されて
いる。
【００２０】
１つの実施例において、３Ｄカメラ１２０によって取り込まれる画像５２０は携帯電話
／機器ケース１１０に取り付けられる携帯電話／機器（画面）５１０に表示されている。
図７に示すように、携帯電話／機器（画面）５１０の上部に配置された３Ｄビューアー１
５０及び画像は３Ｄ７１０で視見することができる。
【００２１】
１つの実施例において、図８に示されるように、３Ｄカメラ１２０及び３Ｄビューアー
１５０は携帯電話／機器ケース１１０に一体化され、３Ｄカメラは携帯電話／機器ケース
から取り外されており、３Ｄカメラをメインカメラとしてだけでなく、自撮りカメラ及び
遠隔制御されるカメラとして使用することができる。
【００２２】
１つの実施例において、図９に示されるように、３Ｄカメラ１２０及び３Ｄビューアー
１５０は携帯電話／機器ケース１１０に一体化され、３Ｄカメラは携帯電話／機器ケース
から取り外され別の位置に置かれており、携帯電話／メインカメラ及び自撮りカメラとし
て使用することができる。
【００２３】
１つの実施例において、図１０に示すように、３Ｄカメラ１２０及び３Ｄビューアー１
５０は携帯電話／機器ケース１０１０に一体化され、３Ｄカメラ１２０は携帯電話／機器
ケースに対して２つの直交軸の周りに回転されており、３Ｄカメラをメインカメラ及び自
撮りカメラとして使用することができる。
【００２４】
１つの実施例において、３Ｄディスプレイシート又はビューアー１５０は携帯電話／機
器又はテレビの通常のディスプレイを３Ｄを視見するために特殊な眼鏡を着用する必要が
ない３Ｄディスプレイに変換する。
【００２５】
１つの実施例において、図１１に示すように、３Ｄカメラ１２０及び３Ｄビューアー１
５０は携帯電話／機器ケース１０１０に一体化され、３Ｄカメラは携帯電話／機器ケース
１０１０に対して１つの軸の周りに回転されており、３Ｄカメラをメインカメラ及び自撮
りカメラとして使用することができる。
【００２６】
１つの実施例において、図１２に示すように、３Ｄカメラ１２０及び３Ｄビューアー１
５０は携帯電話／機器ケース１０１０に一体化され、３Ｄカメラは携帯電話／機器ケース
に対して１つの軸の周りにさらに回転されており、３Ｄカメラをメインカメラ及び自撮り
カメラとして使用することができる。
【００２７】
１つの実施例において、図１２ａに示すように、３Ｄカメラ１２０及び３Ｄビューアー
１５０は携帯電話／機器ケース１０１０に一体化され、３Ｄカメラは携帯電話／機器ケー
スに対して１つの軸の周りに完全に回転されており、３Ｄカメラをメインカメラ及び自撮
りカメラとして使用することができる。
【００２８】
１つの実施例において、図１３に示すように、３Ｄカメラ１２０及び３Ｄビューアー１
５０は携帯電話／機器ケース１０１０に一体化され、３Ｄカメラ１２０は携帯電話／機器
ケースに対して１つの軸の周りに回転されており、３Ｄカメラをメインカメラ及び自撮り
カメラとして使用することができる。
【００２９】
１つの実施例において、３Ｄカメラ１２０及び３Ｄビューアー１５０は携帯電話／機器
ケースに一体化され、３Ｄカメラ１２０は携帯電話／機器ケースに対して１つの軸の周り
に完全に回転され、３Ｄカメラをメインカメラ及び自撮りカメラとして使用することがで
きる。携帯電話／機器ケースは格納式／折り畳み式スタンド１４２０が取り付けられてい
る。図１４に示すように、カメラは携帯電話／機器ケースの背部を通って眺めるように見
られる。
【００３０】
１つの実施例において、３Ｄカメラ１２０及び３Ｄビューアー１５０は携帯電話／機器
ケース１０１０に一体化される。図１５に示すように、カメラはサムホイール１５５０、
１５１０に取り付けられる複数のレンズ１５６０、１５７０、１５８０、１５２０、１５
３０、１５４０を有し、これで異なるレンズを使用／交換して複数の光学効果（例えば、
ズーム、望遠、マルチ画像など）をもたせることができる。
【００３１】
１つの実施例において、カメラ１５９０は携帯電話／機器ケースに一体化される。カメ
ラはサムホイール１５１０に取り付けられる複数のレンズ１５２０、１５３０、１５４０
を有し、これで異なるレンズを使用／交換して複数の光学効果（例えば、ズーム、望遠、
マルチ画像など）をもたせることができる。図１５ａに示すように、異なるレンズを含む
サムホイールはオートフォーカスレンズ１５１１の前に置かれる。カメラの画像センサ１
５２２は図１５ａに示すように配置される。
【００３２】
１つの実施例において、カメラ１５９０は携帯電話／機器ケースに一体化される。カメ
ラはサムホイール１５１０に取り付けられる複数のレンズ１５２０、１５３０、１５４０
を有し、これで異なるレンズが使用／交換されて複数の光学効果（例えば、ズーム、望遠
、マルチ画像など）をもたせることができる。図１５ｂに示すように、異なるレンズを含
むサムホイールはオートフォーカスレンズ１５１１及び画像センサ１５２２の間に配置さ
れる。
【００３３】
１つの実施例において、カメラ１５９０は携帯電話／機器ケースに一体化される。図１
５ｃに示すように、カメラはサムホイール１５１０に取り付けられる複数のレンズ１５２
０、１５３０、１５４０、１５２１を有し、これで異なるレンズを使用／交換して複数の
光学効果（例えば、ズーム、望遠、マルチ画像など）を図１５ａ及び図１５ｂに示すよう
に、異なるレンズ１５２０、１５３０、１５４０、１５２１を含むサムホイールは図示の
ようにオートフォーカスレンズ１５１１をもたせることができる。前又はオートフォーカ
スレンズ１５１１及び画像センサ１５２２の間に配置することができる。
【００３４】
１つの実施例において、３Ｄカメラ１２０及び３Ｄビューアー１５０は携帯電話／機器
ケース１０１０に一体化される。カメラ１２０はサムホイールに取り付けられる複数のレ
ンズを有し、これで異なるレンズを使用／交換して複数の光学効果をもたせることができ
る。図１６に示すように、カメラは複数の軸の周りに回転されるように示されている。
【００３５】
１つの実施例において、３Ｄカメラ１２０、３Ｄビューアー１５０及びカメラフラッシ
ュ１７１０は携帯電話／機器ケースに一体化される。フラッシュは発光ダイオード（通常
ＬＥＤと称される）フラッシュ又はガス放電管フラッシュ又は任意の種類の光源とするこ
とができる。光源は可視光線に限定されない。光源は赤外線源でもよい。カメラはサムホ
イール１５１０に取り付けられる複数のレンズを有し、これで異なるレンズを使用／交換
して複数の光学効果をもたせることができる。図１７に示すように、カメラは複数の軸の
周りに回転するように示されている。
【００３６】
１つの実施例において、３Ｄカメラ１２０、３Ｄビューアー１５０、無線通信回路、信
号処理回路、データ記憶、メモリカード、フラッシュメモリカード、ｗｉ−ｆｉ送信機及
び受信機、ｗｉ−ｆｉホットスポット、無線送受信機、近距離無線通信回路、無線充電、
ブルートゥース（Bluetooth）及びバッテリーを備える電子機器１８１０、１８２０は携
帯電話／機器ケースに一体化される。カメラと一体化されるバッテリーを使用しコネクタ
１８３０を介してカメラのバッテリーを再充電することができる。カメラはサムホイール
１５１０に取り付けられる複数のレンズを有し、カメラは複数の軸の周りに回転するよう
に示されている。この実施例を図１８に示す。
【００３７】
１つの実施例において、３Ｄカメラ１２０、曲面エッジをもつ３Ｄビューアー１８５０
、無線通信回路、信号処理回路及びバッテリーを備える電子機器は携帯電話／機器ケース
に一体化される。カメラはサこれで異なるレンズを使用／交換して複数の光学効果をもた
せることができる。ムホイール１５１０に取り付けられる複数のレンズを有し、これで異
なるレンズを使用／交換して複数の光学効果をもたせることができる。カメラは複数の軸
の周りに回転するように示されている。図１８ａに示すように、フリップカバー１８４０
及び３Ｄビューアー１８５０は曲面エッジをもつ。
【００３８】
１つの実施例において、３Ｄカメラ１２０、３Ｄビューアー１５０、無線通信回路、信
号処理回路及びバッテリーを備える電子機器は携帯電話／機器ケースに一体化される。カ
メラはサムホイール１５１０に取り付けられる複数のレンズを有し、これで異なるレンズ
を使用／交換して複数の光学効果をもたせることができる。この実施例を図１９に示す。
【００３９】
１つの実施例において、３Ｄカメラ１２０、３Ｄビューアー１５０、無カメラはホイー
ル１９１０、１９２０、１９３０を使用するギア機構を介して複数のレンズを有するサム
ホイール１５１０に連結しているものとして示されている。線通信、信号処理回路及びバ
ッテリーを備える電子機器は携帯電話／機器ケースに一体化される。カメラはサムホイー
ル１５１０に取り付けられる複数のレンズを有し、これで異なるレンズを使用／交換して
複数の光学効果をもたせることができる。カメラはホイール１９１０、１９２０、１９３
０を使用するギア機構を介して複数のレンズを有するサムホイール１５１０に連結してい
るものとして示されている。カメラは複数の軸の周りに回転するように示されている。こ
の実施例を図２０に示す。
【００４０】
１つの実施例において、３Ｄカメラ１２０、３Ｄビューアー１５０、無線通信回路、信
号処理回路及びバッテリーを備える電子機器は携帯電話／機器ケースに一体化される。カ
メラはサムホイール１５１０に取り付けられる複数のレンズを有し、これで異なるレンズ
を使用／交換して複数の光学効果をもたせることができる。図２１に示すように、カメラ
はホイール２１１０を使用するギア機構を介して複数のレンズを有するサムホイールに連
結しているものとして示されている。
【００４１】
１つの実施例において、３Ｄカメラ１２０、３Ｄビューアー１５０、無線通信回路、信
号処理回路及びバッテリーを備える電子機器は携帯電話／機器ケースに一体化される。カ
メラはサムホイールに取り付けられる複数のレンズを有し、これで異なるレンズを使用／
交換して複数の光学効果をもたせることができる。カメラは複数のレンズを有するサムホ
イールに連結しているものとして示されている。図２２に示すように、カメラは、使用後
に、電話又は機器のケース／カバー１０１０に差し込むことができる。
【００４２】
１つの実施例において、３Ｄカメラ１２０、３Ｄビューアー１５０、無線通信回路、信
号処理回路及びバッテリーを備える電子機器は携帯電話／機器ケース１０１０に一体化さ
れる。カメラはサムホイールに取り付けられる複数のレンズを有し、これで異なるレンズ
を使用／交換して複数の光学効果をもたせることができる。カメラは複数のレンズを有す
るサムホイールに連結しているものとして示されている。図２３に示すように、カメラは
、使用後に、電話／機器ケース１０１０の内部にさらに差し込むことができる。
【００４３】
１つの実施例において、カメラが引込められるとき電話／機器ケース１０１０の背部は
図２４に示すようなものとなる。折り畳み式又は取り出し可能なスタンド２４３０が携帯
電話／機器ケース又はカバーに取り付けられる。
【００４４】
１つの実施例において、図２５に示すように携帯電話／機器ケースに一体化されるカメ
ラ２５２０及び１２０にはフラッシュ２５１０が装備されている。フラッシュはＬＥＤフ
ラッシュ、キセノンフラッシュ、ガス放電フラッシュ、赤外線フラッシュ又は任意の発光
装置とすることができる。
【００４５】
１つの実施例において、カメラ１２０、３Ｄビューアー１５０、無線通信回路、信号処
理回路及びバッテリーを備える電子機器は携帯電話／機器ケースに一体化される。カメラ
はサムホイール１５１０に取り付けられる複数のレンズを有し、これで異なるレンズ１５
６０、１５７０、１５８０を使用／交換して複数の光学効果をもたせることができる。カ
メラ１２０は複数のレンズを有するサムホイール１５１０に結合されるものとして示され
ている。カメラは、使用後、電話ケース１０１０の内部に差し込むことができる。図２６
に示すように、カメラにはフラッシュ２５１０が装備されている。フラッシュはＬＥＤフ
ラッシュ、キセノンフラッシュ、ガス放電フラッシュ、赤外線フラッシュ又は任意の発光
装置とすることができる。
【００４６】
１つの実施例において、図２７に示すように、２つのカメラ１３０、１４０を含んでい
る３Ｄカメラ１２０は電話ケース１１０に恒久的に固定される。
【００４７】
１つの実施例において、３Ｄカメラ１２０、３Ｄビューアー１５０、無線通信回路、信
号処理回路及びバッテリーを備える電子機器は携帯電話／機器ケース１０１０に一体化さ
れる。図２８に示すように、３Ｄビューアー１５０及びフレネルレンズビューアー２８１
０は電話／機器ディスプレイ画面５１０及び画面を見ている人の目２８４０の間に配置さ
れる。フレネルグレーティング２８３０、２８２０がフレネルレンズ２８１０に示されて
いる。
【００４８】
１つの実施例において、３Ｄカメラ１２０、３Ｄビューアー１５０、無線通信回路、信
号処理回路及びバッテリーを備える電子機器は携帯電話／機器ケース１０１０に一体化さ
れる。図２９に示すように、フレネルレンズビューアー２８１０は電話ディスプレイ画面
５１０及び画面５１０を見ている人の目２８４０との間に配置される。
【００４９】
１つの実施例において、３Ｄカメラ１２０の２つのカメラ３０１０、３０２０で取り込
まれる２つの画像又はビデオを表示する別のモードが図３０に示されている。ここで、各
カメラによって取り込まれるオブジェクトＡ３０４０の画像又はビデオフレームは取り出
され列に分割される。次に、分割された画像又はビデオフレームの奇数又は偶数列のいず
れか１つが除去される。同じプロセスが、それぞれの２つのカメラ３０１０、３０２０の
画像フレーム又はビデオフレームの両方にほぼ同時に行われる。次に、上記の列除去プロ
セスを受けた２つのそれぞれの画像又はビデオフレーム３０６０、３０５０は図３０に示
すようにオフセットを有する１つの画像又は画像フレームに合成される。この合成された
画像又はビデオは３Ｄ互換ディスプレイ画面３０３０で表示され３Ｄ視見実感をもてるよ
うになる。
【００５０】
１つの実施例において、３Ｄカメラ１２０の２つのカメラ３０１０、３０２０で取り込
まれる２つの画像又はビデオを表示する別のモードが図３１に示されている。ここで、各
カメラによって取り込まれるオブジェクトＡ３０４０の画像又はビデオフレームは取り出
され列に分割される。次に、分割された画像又はビデオフレームの各列は所定数の列だけ
シフトされる。同じプロセスがそれぞれの２つのカメラ３０１０、３０２０の画像フレー
ム又はビデオフレームの両方に対して行われる。次に、上記の列分割及びシフトプロセス
を受けた２つのそれぞれの画像又はビデオフレーム３１１０、３１２０は図３１に示すよ
うにオフセットを有する１つの画像又はビデオフレームに合成される。この合成された画
像は３Ｄ互換ディスプレイ画面３０３０で表示され３Ｄ視見実感をもてるようになる。
【００５１】
１つの実施例において、図３２に示すように、１つのカメラ３２２０で取り込まれる画
像又はビデオは３Ｄ対応ディスプレイ３０３０に３Ｄで表示される。単一カメラモジュー
ル３２２０によって取り込まれるオブジェクトＡ３０４０の画像又はビデオフレームが複
製される。ここで、複製された２つの画像フレーム又はビデオフレームが取り出され列に
分割される。次に、分割された画像又はビデオフレームの奇数又は偶数列のいずれか１つ
が除去される。同じプロセスが画像フレーム又はビデオフレームの両方に対して行われる
（即ち、オリジナル及び複製）。次いで、上記の列除去プロセスを受けた２つのそれぞれ
の画像又はビデオフレーム３２５０、３２６０は図３２に示すようにオフセットを有する
１つの画像又は画像フレームに合成される。この合成された画像は３Ｄ互換ディスプレイ
画面３０３０で表示され３Ｄ視見実感をもてるようになる。
【００５２】
１つの実施例において、図３３に示すように、１つのカメラ３２２０で取り込まれる画
像又はビデオは３Ｄ対応ディスプレイ３０３０に３Ｄで表示される。単一のカメラモジュ
ール３２２０によって取り込まれるオブジェクトＡ３０４０の画像又はビデオフレームが
複製さ３Ｄ互換ディスプレイ画面３０３０で表示され３Ｄ視見実感をもてるようになる。
ここで、複製された２つの画像フレーム又はビデオフレームが取り出され列に分割される
。次に、分割された画像又はビデオフレームの各列は所定数の列だけシフトされる。同じ
プロセスが画像フレーム又はビデオフレームの両方に対して行われる（即ち、オリジナル
及び複製）。次に、上記の列シフトプロセスを受けた２つのそれぞれの画像又はビデオフ
レーム３３５０、３３６０は図３３に示すようにオフセットを有する１つの画像又は画像
フレームに合成される。この合成された画像は３Ｄ互換ディスプレイ画面３０３０で表示
され３Ｄ視見実感をもてるようになる。
【００５３】
１つの実施例において、３Ｄビューアー３４３０の機能素（フィーチャー）の幾つかは
、ディスプレイ（例えば、携帯機器画面又はＴＶ画面）３４２０上に配置されるとき、図
３４に示されるようなものである。ディスプレイ３４１０のピクセルは３Ｄビューアーに
隣接して配置される。この３Ｄビューアーを使用することにより、特殊な眼鏡を使用せず
に３Ｄを観察することができる（即ち眼鏡不要の３Ｄ）。レンチキュラーレンズアレイ４
２０及び平行線アレイ４３０はＬＥＤ又はＬＣＤ又は任意の他のディスプレイ４１０に取
り付けられる。レンチキュラーレンズアレイ４２０及び平行線アレイ４３０は、ＬＥＤ又
は一方の側からＬＣＤ又はいずれかの他のディスプレイ４１０に取り付けられ、他方の側
は別の基板６１０に取り付けられる。
【００５４】
１つの実施例において、３Ｄビューアーシート３４３０の機能素の幾つかは、ディスプ
レイ（例えば、携帯機器画面又はＴＶ画面）３４２０上に配置されるとき、図３５に示さ
れるようなものである。ディスプレイ３４１０のピクセルは３Ｄビューアーに隣接して配
置される。透明シート３５１０は３Ｄビューアーシート３４３０上に取り付けられるか又
はオーバーモールドされる。
【００５５】
１つの実施例において、３Ｄディスプレイシートは携帯電話／機器又はテレビの通常の
ディスプレイを３Ｄを視見するために特殊な眼鏡を着用する必要がない３Ｄディスプレイ
に変換する。
【００５６】
１つの実施例において、３Ｄビューアーシート３６１０の機能素の幾つかは、ディスプ
レイ（例えば、携帯機器画面又はＴＶ画面）３４２０上に配置されたとき、図３６に示さ
れるようなものである。ディスプレイ３４１０のピクセルは３Ｄビューアーに隣接して配
置される。
【００５７】
１つの実施例において、３Ｄカメラ及び３Ｄビューアー又は３Ｄビューアーシートを有
する携帯電話／機器ケース又はカバーは携帯機器の防水ケース／カバーとして使用するこ
とができる。
【００５８】
１つの実施例において、３Ｄカメラ及び３Ｄビューアー又は３Ｄビューアーシートを有
する携帯電話／機器ケース又はカバーは携帯電話／機器用防水ケース／カバーとして使用
するように作成することができ、これにより水中での携帯機器のタッチパネルの使用が可
能となる。
【００５９】
１つの実施例において、３Ｄビューアーの機能素の幾つかは、ディスプレイ（例えば、
携帯機器画面又はＴＶ画面）上に配置されるとき、図３７に示されるようなものである。
ディスプレイ３４１０のピクセルは３Ｄビューアーシート３６１０に隣接して配置される
。透明シート３５１０は３Ｄビューアーシート３６１０上に取り付けられるか又はオーバ
ーモールドされる。
【００６０】
１つの実施例において、図３８に示すように、３Ｄカメラ１２０は一眼レフ（ＳＬＲ）
又はデジタル一眼レフカメラ３８３０に取り付けられる。
【００６１】
１つの実施例において、３Ｄカメラ及び３Ｄビューアー又は３Ｄビューアーシートを有
する携帯電話／機器ケース又はカバーは携帯機器の防水カバーとして使用することができ
る。
【００６２】
１つの実施例において、カメラ／３Ｄカメラによって取り込まれるビデオ又は静止画像
は携帯機器に送信され、ここでビデオ又は静止画像は携帯機器のディスプレイ又は画面上
で視見される。ビデオ又は静止画像データの送信は無線送信又は有線送信を使用して行う
ことができる。無線送信の例はｗｉ−ｆｉ及びブルートゥース（Bluetooth）送信である
が、これらの方法に限定されない。携帯機器の例は、携帯電話／機器、タブレットレット
、ｉｐａｄ(登録商標)などである。
【００６３】
１つの実施例において、カメラ／３Ｄカメラは携帯機器内にあるアプリケーションを使
用することによって制御することができる。携帯機器は有線又は無線通信によってカメラ
／３Ｄカメラと通信することができる。
【００６４】
１つの実施例において、静止画像フレーム及びビデオは携帯電話／機器に格納すること
ができる。
【００６５】
１つの実施例において、レンチキュラーレンズ又はレンチキュラーレンズアレイの集成
体及びマイクロフィーチャーアレイの集成体から成る透明な基板又はシートが一緒に組み
合わされて３Ｄディスプレイを形成し、これは携帯電話／機器のディスプレイ画面上に配
置され、これで携帯装置のディスプレイに表示されるコンテンツを視見する者に立体視（
視見）の提供を可能にし、ここに開示される携帯機器のディスプレイ又は立体ディスプレ
イに示されるコンテンツの３Ｄ視見又は３Ｄ視見を可能にする。３Ｄコンテンツ及び２Ｄ
コンテンツ両者は３Ｄビューアーシートがディスプレイ上に置かれている間に視見するこ
とができる。
【００６６】
１つの実施例において、レンチキュラーレンズ又はレンチキュラーレンズアレイの集成
体及び平行線アレイの集成体から成る透明な基板又はシートが一緒に組み合わされて３Ｄ
ディスプレイを形成し、これは携帯機器のディスプレイ画面上に配置され、これで携帯機
器又はテレビのディスプレイ上に表示されるコンテンツを視見する者に立体視（視見）の
提供を可能にし、ここに開示される携帯機器のディスプレイ又は立体ディスプレイに示さ
れるコンテンツの３Ｄ視見又は３Ｄ視見を可能にする。上記のシートは、カメラ、携帯電
話／機器、ｉｐａｄ、タブレット、ラップトップ、ＰＣモニタ、テレビ又は他の適用可能
機器のディスプレイ又はディスプレイ画面に取り付けることができる。１つのソフトウェ
アプリケーションがディスプレイと共に使用されて、画像又はビデオをディスプレイと互
換性のあるモードに変換して、所望の立体視を達成し、これによって３Ｄ視見実感を視見
者に提供する。
【００６７】
１つの実施例において、全体の右回りの視野又は回転したときにカメラによって見られ
る視野、カメラの周りの全視野の３Ｄ又は２Ｄで記録された画像／ビデオは、ここに開示
されたカメラを使用して記録することができる。記録された画像／ビデオはカメラ又は携
帯機器上で再生することができ、これで視見者は画像／ビデオを見ている者が視見するこ
とを望む方向に携帯機器を向けることによって全視野を視見することができる。ビューア
ー１５０と一体化されたカバー１１０を使用することによって、カメラ１２０及びビュー
アー１５０を使用して携帯電話／機器のユーザによる向上現実感を得ることができる。
【００６８】
１つの実施例において、ビューアー１５０及びジャイロスコープと一体化される携帯電
話／機器カバー１１０を使用しビデオを記録して、視見者に記録されたビデオの３Ｄ向上
現実実感を提供することができる。これは地図アプリケーションと方向提供アプリケーシ
ョンで使用できる。
【００６９】
１つの実施例において、ここに開示される３ＤカメラはＣＣＴＶ（閉回路テレビ）カメ
ラアプリケーションに使用することができ、３ＤビューアーシートはＣＣＴＶモニタ上で
好適なソフトウェアとともに使用され、ＣＣＴＶカメラによって取り込まれた３Ｄ画像を
視見する。
【００７０】
１つの実施例において、レンチキュラーレンズ又はレンチキュラーレンズアレイの集成
体、平行線アレイの集成体及びマイクロ及びナノ機能素（フィーチャー）又は構造の集成
体から成る透明な基板又はシートが一緒に組み合わされて３Ｄビューアーシートを形成し
、これはディスプレイに表示されたコンテンツを視見する者に立体視（視見）を提供する
ことを可能にし、ここに開示されるディスプレイ又は立体ディスプレイに示されたコンテ
ンツの３Ｄ視見又は３Ｄ視見を可能にする。上記のシートは携帯電話／機器、ｉｐａｄ、
タブレット、ラップトップ、ＰＣモニタ又はその他の適用可能機器に取り付けられる。１
つのソフトウェアプリケーションがディスプレイと共に使用され、画像又はビデオをディ
スプレイと互換性のあるモードに変換し、所望の立体視を達成し、これによって３Ｄ視見
実感を視見者に提供する。３Ｄコンテンツ及び２Ｄコンテンツ両者は３Ｄビューアーシー
トがディスプレイ上にある間に視見することができます。
【００７１】
１つの実施例において、３Ｄ／２Ｄビューアーシート３９００を使用して、或る時点で
全体的に異なる２つ以上の画像／ビデオを１つの携帯機器／ディスプレイ又はテレビ上で
２人以上の者が視見することができる。これは３Ｄ／２Ｄビューアーシートを使用／使用
して視見可能範囲内の特定の領域に見える多くの画像のうちの１つの画像のみを作成する
ことによって行われ、一方２つ以上の画像又はビデオは携帯機器又はテレビのディスプレ
イ画面上に同時に表示している。
【００７２】
１つの実施例において、１つのソフトウェアプリケーションがディスプレイと共に使用
され、画像又はビデオをディスプレイと互換性のあるモードに変換し、所望の立体視を達
成して３Ｄ視見実感を視聴者に提供する。
【００７３】
１つの実施例において、「３Ｄ及び／又は２Ｄ高品質ビデオ撮影、写真撮影、自撮り録
画用のカメラシステム及び非電気的３Ｄ／マルチビデオ及び静止フレームビューアーと一
体化される多目的携帯機器ケース／カバー」は光学カメラシステムを有する。カメラシス
テムはレンズアセンブリを備え、レンズアセンブリはレンズアセンブリの視界の中にある
被写体又は景面の、
２次元平面上に形成される３次元透視ビュー又は
３次元領域上に形成される３次元透視ビュー又は
３次元被写体上に形成される３次元透視ビュー又は被写体又は景面のレンズアセンブリ
の視界の中にある、
３次元静止画像又はビデオ画像又は３次元透視画像又は３次元透視ビデオ又は３次元透
視ビューを画像平面又は画像センサー上に作成する。
【００７４】
レンズアセンブリの視界内にある被写体又は景面の３次元画像又は３次元透視画像又は
３次元透視ビューはレンズアセンブリから一定の距離に維持される第１の焦点面上に形成
され、ここに画像センサが配置され３次元透視ビデオ又は静止画像を記録する。カメラシ
ステムは、被写体又は景面の２次元平面又は３次元画像又は３次元透視画像又は３次元透
視ビュー上に形成された３次元透視ビュー又はオブジェクトをソフトウェアとハードウェ
アを組み合わせて使用し高品質の３次元ビデオ及び静止画像に変換する。レンズアセンブ
リは、複数の距離に由来する複数の光線を画像センサ上に同時に焦点合わせする。
【００７５】
１つの実施例において、「３Ｄ及び／又は２Ｄ高品質ビデオ撮影、写真撮影、自撮り録
画用のカメラシステム及び非電気的３Ｄ／マルチビデオ及び静止フレームビューアーと一
体化される多目的携帯機器ケース／カバー」のレンズアセンブリの視界にある被写体又は
景面の３次元画像又は３次元透視画像又は３次元透視ビューはレンズアセンブリから一定
の距離に維持される第１の焦点面上に形成され、ここに画像センサが配置され３次元透視
ビデオ又は静止画像を記録し、及び／又は３次元透視ビューを有する２次元ビデオ及び／
又は静止画像を記録する。記録された３次元透視ビューは適切な３Ｄディスプレイ上で３
Ｄ（即ち３次元）で視見することができるフォーマットに変換される。
【００７６】
１つの実施例において、カメラシステム１２０及び非電気的３Ｄビューアー１５０と一
体化される独特な携帯機器ケース又はカバー１１０が開示され、これは２次元（２Ｄ）及
び３次元（３Ｄ）ビデオ動画及び静止画像を記録することができ、ここに開示される取付
け／着脱可能な３Ｄディスプレイシステムを使用し３次元ビデオ／静止画像の両方を視見
するために使用することができる。ここに開示される独特なディスプレイは、３Ｄ及び２
Ｄの両方のビデオ／静止画を同時に視見するために使用することができる。
【００７７】
１つの実施例において、図３９に断面で示す３Ｄ／多重ビデオ及び静止フレームビュー
アーは、複数のビデオ又は静止画像を、図示のように、同じディスプレイ画面３９００を
観ている複数のユーザ３９２０、３９３０、３９４０に同時に投影することができる。図
３９は、携帯機器のディスプレイ（例えば、携帯機器画面又はＴＶ画面）上に一体化され
る独特な３Ｄ／マルチビデオ及びスチルフレームビューアー３９００の断面を示す。３Ｄ
／マルチビデオ＆静止フレームビューアーはその取付け／着脱可能な３Ｄディスプレイシ
ステムを使用し３Ｄビデオ／静止画像の両方を視見することができる。ここに開示される
独特なディスプレイは３Ｄ及び２Ｄビデオの両方及び／又は静止画像を同時に視見するた
めに使用することができる。携帯機器又はテレビのディスプレイ画面の様々なピクセル３
９５０は様々なビデオ又は静止画像を同時に表示することができ、異なる者達は同じ携帯
機器画面又はテレビ上で異なるビデオ又は静止コンテンツを同時に観ることができる。
【００７８】
１つの実施例において、カメラは光学画像安定化装置４０１０から構成され、これは以
下から構成される：
ハウジング（又は光モジュール）に取り付けられる１つ又は複数の永久磁石４０３０、
オーディオスピーカのボイスコイルに似た１つ又は複数の中空電気コイル４０４０又は
ボイスコイル４０４０、
電気コイル４０４０は光モジュール（又はハウジング）に取付けられ、光モジュール４
０６０は電気コイル４０４０を通る電流の流れを制御することによって動かすことができ
ること。
【００７９】
中空電気コイルは永久磁石４０３０に近接しており、それで電流がコイルを通電すると
きにコイルと永久磁石との間に電磁相互作用が生じ、光モジュール４０６０が可動可撓性
マウンティング又はワイヤー又は基板によってハウジングに取り付けられ、電気コイルに
電流を供給する電子回路、所定の時点で電流の方向を決定するフィードバック機構又は回
路及び電子制御回路を備えている。光モジュールは電気コイル４０４０を通過する電流を
制御することによって必要な方向に移動されて安定化された画像を画像センサ上に維持す
る。
【００８０】
別の実施例において、「３Ｄ及び／又は２Ｄ高品質ビデオ撮影、写真撮影、自撮り録画
用のカメラシステム及び非電気的３Ｄ／マルチビデオ及び静止フレームビューアーと一体
化される多目的携帯機器ケース／カバー」は、ＨＤＭＩ(登録商標)出力、ビデオ／オーデ
ィオ出力、無線出力、ｗｉ−ｆｉ出力、ブルートゥース出力、シリアル出力、パラレル出
力、パケットデータ出力又は他の適切な出力を含むことができる。
【００８１】
別の実施例において、図２８ａ及び図２８ｂに示すように、「多目的携帯機器ケース／
カバー」は、携帯機器のディスプレイ上に表示されるコンテンツを投影画面上に投影する
ことができるビデオ／静止画像プロジェクタを含むことができる。ここで、レンズ２８７
０は携帯機器のディスプレイ２８６０と投影画面２８８０との間に配置され携帯機器のデ
ィスプレイに表示されるコンテンツを画面又は壁面に投影する。
【００８２】
別の実施例において、「多目的携帯機器ケース／カバー」はデジタルライトプロセッサ
（ＤＬＰ）タイプ機器と一体化し携帯機器のディスプレイに表示されるコンテンツを３Ｄ
又は２Ｄで画面又は壁に投影することができる。
【００８３】
１つの実施例において、携帯機器ケース４１００は携帯機器カメラ用の開口４１３０を
有し、２つのカメラモジュール４１２０はヒンジによって取り付けられるアーム４１１０
に接続され、アームによってカバーから持ち上げて上向きに回転することができる。これ
らすべての部品はカバーの背面に一体化されている。
【００８４】
１つの実施例において、携帯機器ケース４１００は携帯機器カメラ用の開口４１３０を
有して、１８０度上に持ち上げられるアーム４１１０を有する。これにより、ユーザはこ
の製品を利便性良く使用し自撮りも撮ることができる。アームは元に折り曲げることによ
って機器ケース上に戻して取り付け、それでキャビティ４２１０上に載せることができる
。この形態により、ユーザは機器の正面からのみならず背面からも写真を撮ることができ
る。
【００８５】
１つの実施例において、携帯電話／機器ケース４３１０の内側は携帯機器のカメラ用の
開口４１３０を有し、必要に応じて携帯電話／機器に接続でき底部に埋め込まれる充電コ
ネクタ４３２０を有する。ユーザは充電コネクタを引き出して携帯機器をケースに挿入し
、携帯機器をカバーに嵌め込んだ後、押し戻すことができる。着脱可能で交換可能なボッ
クス４３３０が備えられ、これは写真撮影の目的のためにカメラ又は携帯機器を充電する
ためのバッテリーボックス又は他の互換性のある部品又はシステムを保持することができ
る。
【００８６】
１つの実施例において、携帯機器ケース４４１０は２つのカメラモジュール４１２０を
有し、交換可能なボックス４４２０に一体化されるアーム４１１０に接続されている。カ
メラを含むボックス４４２０は必要に応じて携帯機器ケース４４１０に挿入することがで
きる。これは、ユーザにとって機器ケースを異なる目的（この場合カメラとして使用）で
使用できるのでより便利になる。
【００８７】
１つの実施例において、携帯機器ケース４３１０はカバーの内側に配置されるカメラ１
２０に一体化される２つのカメラモジュール１３０を有する。これにより、シンプルで使
い易いものになる。
【００８８】
１つの実施例において、携帯機器ケース４３１０はこれに埋め込まれるボックス４３３
０を有する。このボックスは互換性があり、２Ｄ又は３Ｄカメラ、充電器又はヘルスモニ
タ又はその他の適切な機器を保持できる。このため、この製品は独特なもので多機能であ
る。
【００８９】
１つの実施例において、１対のカメラモジュール１３０が１つの着脱可能なユニットと
してボックス４３３０上に一体化される。カメラモジュールの一方はズームして３Ｄを視
見するため、他方は高品質の２Ｄで視見するために使用される。
【００９０】
１つの実施例において、着脱可能なレンチキュラーシート４８２０が取り付けられる携
帯機器はカメラケースに一体化されるオーディオスピーカ４８１０を有するカバー４８０
０に挿入される。スピーカは高品質のオーディオと音楽を再生することができる。
【００９１】
１つの実施例において、携帯機器のカメラのための開口４１３０を有する携帯機器ケー
ス４３１０の内部はスタイラス４９００を含んでいる。着脱可能なカメラユニット４４２
０は携帯機器ケース又はカメラハウジングに一体化される。カメラハウジングは着脱可能
なカメラユニットによって取り込まれるビデオ、写真を視見するための３Ｄ／２Ｄディス
プレイ画面を含んでおり、これは、wifi又はhifi又は光通信などの無線通信回路によって
カメラハウジングに接続されるが、これらの通信媒体に限定されない。ユーザにとって必
要に応じてカメラをカバーに挿入することができるので便利である。
【００９２】
１つの実施例において、携帯機器カメラのための開口４１３０を有する携帯機器ケース
４３１０の背面はスタイラス４９００を含んでいる。機器ケースに一体化される２つの３
Ｄカメラモジュール４１２０及び機器スタンド４３２０を備えている。機器スタンドを使
用すると、機器を立たせ静止したままに保持しながら、カバー上の３Ｄカメラモジュール
を使用して高解像度の３Ｄビデオ又は画像を取り込むことができる。
【００９３】
１つの実施例においてダミー機器４９１０に挿入されるデバイスケース４１００及びス
タイラス４９００はプラスチックディスプレイケースに取り付けられる。
【００９４】
１つの実施例において、３Ｄカメラユニットの概略電子回路図で、２つのカメラモジュ
ール５２１０又は画像センサからの画像フレームデータはフレーム合成モジュール５２２
０によって一緒に合成される。そして、合成されたフレームデータはwifi又はhifiなどの
無線伝送を介して送信されるが、これらの無線伝送に限定されるものではなく、有線方式
のＵＳＢポートを介して送信することもできる。送信されたデータは携帯機器５２４０に
よって受信されライブビデオ又は写真を視見することができる。
【００９５】
１つの実施例において、携帯機器ケース又はカバーはマルチ画像センサ５２１０を含む
電子回路を有し、この電子回路は画像フレームデータ合成モジュール５２２０に接続され
、この画像フレームデータ合成モジュール２Ｄ画像フレーム、並列画像フレーム、全幅画
像、半幅画像を出力でき、その入力は２つの画像センサからの２つの別々の画像フレーム
である。そして、この出力はwifi又は他の無線送信機又は有線伝送アプリケーションプロ
セッサ５２３０及び無線送受信機／携帯機器モジュール５２４０に入力されデータの無線
／有線送信がなされる。
【００９６】
１つの実施例において、レンチキュラーシート５３２０を携帯機器５３１０に取り付け
る１つの方法で、携帯機器又は携帯機器カバー上に取り付けるレンチキュラーシートを保
持するストリップ５３３０が携帯機器に取り付けられ、接着材料５３５０が導入されレン
チキュラーシートを携帯機器の表面上に保持する。
【００９７】
１つの実施例において、スタイラス４９００はそのスタイラスの先端５４２０に取り付
けられる導電性ディスク５４１０を有し、任意のタッチ画面機器上で使用することができ
る。
【００９８】
１つの実施例において、スタイラス５５１０の先端はより快適な筆記実感のために回転
又は旋回させることができる。
【００９９】
１つの実施例において、３Ｄカメラを作製するために使用され、単一の画像センサ１５
２２を使用して並列イメージ／ビデオを取り込むことができるＶ字型光学部品が備えられ
る。被写体５６２０の左側５６８０及び右側５６９０からの光ビームはそれぞれ別個の対
物レンズ５６１０を通過し、光学部品５６００の左アーム５６３０及び右アーム５６４０
を通って案内され、次に合焦レンズ５６５０を通過して、次いで並列画像が画像センサ上
に表示される。これは図５６に示されている。
【０１００】
１つの実施例において、Ｖ字型光学部品５６００の断面で示され図５７に示されるよう
に、２つの対物レンズ５６１０から、左アーム５６３０で被写体の左側からの光ビームが
案内され、右アーム５６４０で被写体の右側からの光ビームが案内され、次に１つの合焦
レンズ５６５０を通ってＶ字型光学部品の底部で使用され並列画像を画像センサ１５２２
上に表示する。
【０１０１】
１つの実施例において、Ｖ字型光学部品５６００の断面で示され図５８に示されるよう
に、左５６３０及び右５６４０のアームで被写体の左右の光ビームがそれぞれ案内され、
次に１つの合焦レンズ５６５０を通ってＶ字型光学部品の底部で使用され並列画像を画像
センサ１５２２上に表示する。
【０１０２】
１つの実施例において、Ｖ字型光学部品５６００の断面５９１０で示され図５９に示す
ように、左側５６３０のアーム及び右側５６４０のアームで各アームに１つ取付けられる
２つの対物レンズ５９１０から被写体の左右の光ビームがそれぞれ案内され、Ｖ字型光学
コンポーネントの底部に取り付けられる１つの焦合レンズ５９２０を通って、これが使用
され画像センサ１５２２上に並列画像を表示する。
【０１０３】
１つの実施例において、別の光学部品の断面で図６０に示すように、この光学部品は合
計４つのプリズム、即ち左側に１つ６０２０、右側に１つ６０５０、内側に２つ、即ち左
側に１つ６０３０、右側に１つ６０４０を利用する。プリズムは、プリズム内の全反射に
因り、左側、右側の２つのレンズ６０１０を通過した光ビームがプリズムからプリズムに
反射され合焦レンズ６０６０を通って画像センサ１５２２に至るように配置される。
並列画像を形成する。
【０１０４】
１つの実施例において、別の光学部品の断面で図６１に示すように、この光学部品は合
計４つのプリズム、即ち左側に１つ６０２０、右側に１つ６０５０、内側に２つ、即ち左
側に１つ６０３０、右側に１つ６０４０を利用する。プリズムは、プリズム内の全反射に
因り、左側、右側の２つのレンズ６０１０を通過した光ビームがプリズムからプリズムに
反射され伝送され合焦レンズ６０６０を通って画像センサ１５２２に至り、並列画像を形
成するように配置される。
【０１０５】
１つの実施例において、別の光学部品の断面で図６２に示すように、この光学部品は合
計４つのプリズム、即ち左側に１つ６０２０、右側に１つ６０５０、内側に２つ、即ち左
側に１つ６０３０、右側に１つ６０４０を利用する。プリズムは、プリズム内の全反射に
因り、左側、右側上のプリズムに取付けられる２つのレンズ６０１０を通過した光ビーム
がプリズムからプリズムに反射され伝送され取付けられる合焦レンズ６０６０を通って画
像センサ１５２２に至るように配置される。
【０１０６】
１つの実施例において、画像ディスプレイ画面又はＴＶ画面６３２０は平坦側面上で３
Ｄビューアー６３１０に取り付けられる多数のピクセル６３３０、６３４０から成る。図
６３に示されるように、３Ｄビューアーは所定の時間に１つの画素だけが１つの目で視見
することができるようにディスプレイの画素からの光を伝送する。
【０１０７】
１つの実施例において、画像ディスプレイ画面又はＴＶ画面６３２０は多くのピクセル
６３３０、６３４０を有して、３Ｄビューアー６３１０の波形状表面に取り付けられる。
図６４に示されているように、３Ｄビューアーは所定の時間に１つの画素だけが１つの目
でしか視見することができないようにディスプレイの画素から光を伝送する。
【０１０８】
１つの実施例において、３Ｄビューアー６３１０が別の３Ｄビューアー６５１０に互い
に平行な平坦面上で取り付けられ、画像ディスプレイ画面又はＴＶ画面６３２０が多数の
ピクセル６３３０、６３４０を有して上部波形状表面上に取り付けられる。図６５に示さ
れるように、３Ｄビューアーは所定の時間に１つのピクセルだけが１つの目によって視見
することができるようにディスプレイのピクセルからの光を伝送する。
【０１０９】
１つの実施例において、３Ｄビューアー６３１０が別の３Ｄビューアー６５１０に角度
をつけて互いに平行な平坦面上で取り付けられ、画像ディスプレイ画面又はＴＶ画面６３
２０が多数のピクセル６３３０、６３４０を有して上部波形状表面上に取り付けられる。
図６６に示されるように、３Ｄビューアーは所定の時間に１つのピクセルだけが１つの目
によって視見することができるようにディスプレイのピクセルからの光を伝送する。
【０１１０】
１つの実施例において、３Ｄビューアー６３１０が別の３Ｄビューアー６５１０に角度
をつけて互いに平行な平坦面上で取り付けられ、画像ディスプレイ画面又はＴＶ画面６３
２０が多数のピクセル６３３０、６３４０を有して上部波形状表面上に取り付けられ、硬
質被膜６７１０が上部平坦面上に着膜される。図６７に示されるように、３Ｄビューアー
は所定の時間に１つのピクセルだけが１つの目によって視見することができるようにディ
スプレイのピクセルからの光を伝送する。
【０１１１】
１つの実施例において、３Ｄビューアー６３１０が別の３Ｄビューアー６５１０に角度
をつけて互いに平行な平坦面上で取り付けられ、画像ディスプレイ画面又はＴＶ画面６３
２０が多数のピクセル６３３０、６３４０を有して上部波形状表面上に取り付けられ、硬
質被膜が上部平坦面上に着膜される。図６８に示されるように、３Ｄビューアーは所定の
時間に１つのピクセルだけが１つの目によって視見することができるようにディスプレイ
のピクセルからの光を伝送する。
【０１１２】
１つの実施例において、２つのタイプの多方向３Ｄビューアーシート６９００、６９４
０が備えられ、これは多数の３Ｄビューアーピクセル６９１０から成り、これらのピクセ
ルは平坦又は尖った頂部及び正方形又は長方形のベースを有するピラミッドの形状を有す
る。これは図６９及び図７０に示されている。この多方向３Ｄビューアーシートは複数の
ピクセル７０３０を有する画像ディスプレイ画面に取り付けられる。３Ｄビューアーは所
定の時間に１つの画素だけを１つの目で視見することができるようにディスプレイの画素
からの光を伝送する。
【０１１３】
１つの実施例において、電話又は携帯機器カバー７１３０の背面図に示すように、着脱
可能なカメラユニット７１２０は２つのカメラ７１１０を備えて画像を２Ｄ及び３Ｄで取
り込み、記録するために使用される。ユーザの好みに応じて着脱可能なカメラを着脱する
ことができる。これは図７１に示されている。
【０１１４】
１つの実施例において、電話又は携帯機器カバー７１３０は２Ｄ／３Ｄディスプレイを
備える着脱可能ユニット７１２０を有し、ユーザの好みに応じて携帯電話／機器カバーに
取り付け、取り外すことができる。これは図７２に示されている。
【０１１５】
１つの実施例において、図７３に示すように、携帯機器カバーの底部に、スリットを有
する携帯機器取り付けクリップ７３１０が設けられる。
【０１１６】
１つの実施例において、図７４に示すように、携帯機器カバーは着脱可能なユニット７
１２０を有して面取り縁部７４１０を有するものとして示されている。カメラモジュール
７４２０及び７４３０は引き上げ可能、回転可能で３６０度のビデオ及び写真を記録する
ことができる。
【０１１７】
１つの実施例において、着脱可能ユニット７１２０はカバー７１３０から引き上げられ
、使用者の好みに応じて様々な位置に回転される。これは図７５に示されている。
【０１１８】
１つの実施例において、着脱可能ユニット７１２０は３Ｄディスプレイが外側を向くよ
うにカバー７１３０に取り付けられる。これを図７６に示す。
【０１１９】
１つの実施例において、着脱可能ユニットは２つの画像／ビデオ投影機器７７２０から
成る３Ｄプロジェクタ７７１０で構成される。これは図７７に示されている。
【０１２０】
１つの実施例において、着脱可能ユニットは音声増幅モジュールから成り、これは小型
ボックス７８１０を備え、この小型ボックスは音声パイプ７８４０を含んでおり、これは
スピーカユニット７８２０に接続する。スピーカユニットは独立したスピーカ又は携帯機
器のスピーカとすることができる。ボックスは音声増幅を利得するための小さなキャビテ
ィ開口７８３０を有する。これは図７８に示されている。
【０１２１】
１つの実施例において、音声増幅モジュールは小型ボックス７８１０を有し、この小型
ボックスは音声パイプ７８４０を含んでおり、この音声パイプはブルートゥーススピーカ
ユニット７９１０に接続する。ボックスは音声増幅を利得するための小さなキャビティ開
口７８３０を有する。また、ブルートゥースユニットが設けられてユーザは携帯機器を携
帯機器カバーに接続してスピーカとして使用できる。これは図７９に示されている。
【０１２２】
１つの実施例において、携帯機器が音声増幅モジュールに取り付けられて小型ボックス
７８１０を備え、小型ボックスは音声パイプ７８４０を含んでおり、これはスピーカユニ
ット７８２０に接続する。ボックスは音声増幅を利得するための小さなキャビティ開口７
８３０を有する。また、ブルートゥースユニットが設けられてユーザは携帯機器を携帯機
器カバーに接続してスピーカとして使用できる。これは図８０に示されている。
【０１２３】
１つの実施例において、携帯機器８１１０は着脱可能ユニット８１２０と無線又は有線
通信を行なう。着脱可能ユニットは２Ｄ／３Ｄカメラ、プロジェクタ、メモリバンク、パ
ワーパック、健康モニタ又は他の選択された機器とすることができる。これは図８１に示
されている。通信及びデータ伝送は、ハードウェア及びソフトウェアを使用して行われる
。着脱可能ユニットは無線又は有線通信を介してアクセス可能な追加のメモリ記憶モジュ
ールとすることができる。
【０１２４】
１つの実施例において、３Ｄカメラは２つの左右アームを有するＶ字型光学部品から成
り、これは被写体からの光を画像センサ装置上に案内する光案内として作用し、これで被
写体の２つの画像がＶ字型光学部品の視野内に形成される。
【０１２５】
１つの実施例において、３Ｄカメラは光を収光して焦合する２枚の対物レンズ及び画像
センサ上に画像の焦合わせする１つのレンズから成り、これらのレンズはＶ字型光学部品
と距離をおいて又は接触して配置することができる。
【０１２６】
１つの実施例において、カメラは２つのグループが２つ配置された４つのプリズムから
成り、それで１つのグループにおいて、１つのプリズムに入射する光は第１のプリズムに
おける内部全反射に因り第２のプリズムに反射され、第２のプリズムに入射する光は第２
のプリズムにおける内部全反射に因り画像センサ上に反射され２つのプリズムグループに
因り並列画像を画像センサ上に形成する。
での全内部反射のために、２つのプリズム群のために画像センサ上の形成する画像センサ
上に反射される。
【０１２７】
一の実施例において、３Ｄカメラは光を収光して焦合する２枚の対物レンズ及び画像を
画像センサに焦合する１つのレンズとから成り、これらのレンズはプリズムに距離をおい
て又は接触して配置することができる。
【０１２８】
１つの実施例において、３Ｄビューアーは液晶ディスプレイ、薄膜トランジスタ、有機
発光ダイオード又は発光ダイオードディスプレイのような画像ディスプレイ画面と接触又
は接触することなく近接している波形状透明ポリマーシートから成る。
【０１２９】
１つの実施例において、３Ｄビューアーは液晶ディスプレイ、薄膜トランジスタ、有機
発光ダイオード又は発光ダイオードディスプレイなどの画像ディスプレイ画面の上に配置
される保護ガラス板又はタッチパネルと接触又は接触することなく近接して配置される波
形状透明ポリマーシートから成る。
【０１３０】
１つの実施例において、３Ｄビューアーは互いに上部で接触して配置される２つの波形
状透明ポリマーシートから成り、波形状は互いに平行なシートであり、画像ディスプレイ
画面は何れかの透明ポリマーシートに近接又は接触している。
【０１３１】
１つの実施例において、３Ｄビューアーは互いに上部で接触して配置される２つの波形
状透明ポリマーシートから成り、波形状は互いに平行なシートであり、画像ディスプレイ
画面は何れかの透明ポリマーシートに近接又は接触している。
【０１３２】
１つの実施例において、３Ｄビューアーは耐擦傷性硬質被膜から成る。
【０１３３】
１つの実施例において、３Ｄビューアーは３Ｄピクセルから成る多方向３Ｄビューアー
で構成され、これらの３Ｄピクセルは多角形ベースを基に画像ディスプレイ画面のピクセ
ル間の同長ギャップをもつピラミッド形状を有する。
【０１３４】
１つの実施例において、３Ｄカメラは携帯電話／機器ケースに対して回転し旋回させる
ことができ、その面取り縁部を有する。
【０１３５】
１つの実施例において、携帯機器ケースはデジタル光プロセッサを使用して作製される
２Ｄ／３Ｄ画像プロジェクタから成る。
【０１３６】
１つの実施例において、携帯機器カバーは、携帯機器の音声を増幅する音声パイプ及び
キャビティシステムを有し、携帯機器のスピーカに物理的に接触することによって接続さ
れる受動音声増幅モジュールから成る。
【０１３７】
１つの実施例において、携帯機器カバーは、音響パイプと、携帯機器の音声を増幅する
音声パイプ及びキャビティシステムを有し、無線通信によって携帯機器に接続される能動
音声増幅モジュールから成る。
【０１３８】
１つの実施例において、携帯機器カバーは携帯機器のメモリバンクであるモジュールで
構成され、これで携帯機器及び携帯機器カバーのメモリバンクは無線通信を介してデータ
及び情報を交換することができる。
【０１３９】
１つの実施例において、携帯機器カバーは健康モニタ又は２Ｄプロジェクタ又は３Ｄプ
ロジェクタ又はメモリバンク又はパワーパック又はパワーバンク又は他の選択された機器
であるモジュールから成る。
【０１４０】
１つの実施例において、３Ｄビューアーの波形状透明ポリマーシートはレンチキュラー
シート、ダイヤモンドシート、プリズムシート又はこれらの組み合わせとすることができ
る。
【０１４１】
１つの実施例において、携帯機器カバーは３６０°カメラから成る。
【図１】
0003231329.tif 000003
【図２】
0003231329.tif 000004
【図３】
0003231329.tif 000005
【図４】
0003231329.tif 000006
【図５】
0003231329.tif 000007
【図６】
0003231329.tif 000008
【図７】
0003231329.tif 000009
【図８】
0003231329.tif 000010
【図９】
0003231329.tif 000011
【図１０】
0003231329.tif 000012
【図１１】
0003231329.tif 000013
【図１２】
0003231329.tif 000014
【図１２ａ】
0003231329.tif 000015
【図１３】
0003231329.tif 000016
【図１４】
0003231329.tif 000017
【図１５】
0003231329.tif 000018
【図１５ａ】
0003231329.tif 000019
【図１５ｂ】
0003231329.tif 000020
【図１５ｃ】
0003231329.tif 000021
【図１６】
0003231329.tif 000022
【図１７】
0003231329.tif 000023
【図１８】
0003231329.tif 000024
【図１８ａ】
0003231329.tif 000025
【図１９】
0003231329.tif 000026
【図２０】
0003231329.tif 000027
【図２１】
0003231329.tif 000028
【図２２】
0003231329.tif 000029
【図２３】
0003231329.tif 000030
【図２４】
0003231329.tif 000031
【図２５】
0003231329.tif 000032
【図２６】
0003231329.tif 000033
【図２７】
0003231329.tif 000034
【図２８】
0003231329.tif 000035
【図２８ａ】
0003231329.tif 000036
【図２８ｂ】
0003231329.tif 000037
【図２９】
0003231329.tif 000038
【図３０】
0003231329.tif 000039
【図３１】
0003231329.tif 000040
【図３２】
0003231329.tif 000041
【図３３】
0003231329.tif 000042
【図３４】
0003231329.tif 000043
【図３５】
0003231329.tif 000044
【図３６】
0003231329.tif 000045
【図３７】
0003231329.tif 000046
【図３８】
0003231329.tif 000047
【図３９】
0003231329.tif 000048
【図４０】
0003231329.tif 000049
【図４１】
0003231329.tif 000050
【図４２】
0003231329.tif 000051
【図４３】
0003231329.tif 000052
【図４４】
0003231329.tif 000053
【図４５】
0003231329.tif 000054
【図４６】
0003231329.tif 000055
【図４７】
0003231329.tif 000056
【図４８】
0003231329.tif 000057
【図４９】
0003231329.tif 000058
【図５０】
0003231329.tif 000059
【図５１】
0003231329.tif 000060
【図５２】
0003231329.tif 000061
【図５３】
0003231329.tif 000062
【図５４】
0003231329.tif 000063
【図５５】
0003231329.tif 000064
【図５６】
0003231329.tif 000065
【図５７】
0003231329.tif 000066
【図５８】
0003231329.tif 000067
【図５９】
0003231329.tif 000068
【図６０】
0003231329.tif 000069
【図６１】
0003231329.tif 000070
【図６２】
0003231329.tif 000071
【図６３】
0003231329.tif 000072
【図６４】
0003231329.tif 000073
【図６５】
0003231329.tif 000074
【図６６】
0003231329.tif 000075
【図６７】
0003231329.tif 000076
【図６８】
0003231329.tif 000077
【図６９】
0003231329.tif 000078
【図７０】
0003231329.tif 000079
【図７１】
0003231329.tif 000080
【図７２】
0003231329.tif 000081
【図７３】
0003231329.tif 000082
【図７４】
0003231329.tif 000083
【図７５】
0003231329.tif 000084
【図７６】
0003231329.tif 000085
【図７７】
0003231329.tif 000086
【図７８】
0003231329.tif 000087
【図７９】
0003231329.tif 000088
【図８０】
0003231329.tif 000089
【図８１】
0003231329.tif 000090
【手続補正書】
【提出日】令和3年1月18日(2021.1.18)
【手続補正１】
【補正対象書類名】実用新案登録請求の範囲
【補正対象項目名】全文
【補正方法】変更
【補正の内容】
【実用新案登録請求の範囲】
【請求項１】
携帯電話ケース又はカバー又は携帯機器ケース又はカバーに一体化される２つのカメラ及び３Ｄビューアーシートを一体化又は接続することによって実現される３Ｄカメラから成り、
３Ｄカメラは複数の軸の周りに回転可能で３Ｄカメラをメインカメラとしてのみならず自撮り（セルフ写真又はビデオ）カメラとして使用することができ、
３Ｄビューアーシートはステッカー又は剥離可能なステッカー又はフリップカバーの形態であり、
３Ｄビューアーシートはカバーをディスプレイ上に反転することによって装着することができ、３Ｄビューアーシートはカバーをディスプレイから反転することによって取り外すことができ、
別のフリップカバーは３Ｄビューアーシートに加えて携帯電話／機器カバーに追加することもでき、
携帯電話又は携帯機器は携帯電話／機器ケース又はカバーに取り付けることができ、
３Ｄカメラは携帯機器内で動作するアプリケーションによって制御することができ、
３Ｄビューアーシートは携帯機器又はテレビのディスプレイ画面の上部に配置され、それによって特殊な眼鏡を使用することなく（即ち、眼鏡不要３Ｄ）携帯機器又はテレビで３Ｄを視見することを可能にすることを特徴とする携帯機器ケース又はカバー。
【請求項２】
３Ｄビューアーシートがディスプレイに取り付けられている間に３Ｄコンテンツ及び２Ｄコンテンツの両方を視見することができるか、
３Ｄカメラは携帯機器内で動作するアプリケーションによって制御することができるか、
３Ｄビューアーシートはテレビのディスプレイ画面の上部に配置され、それによって特殊な眼鏡を使用することなく（即ち、眼鏡不要３Ｄ）テレビの３Ｄを視見することを可能にするか、
３Ｄカメラによって取得される画像は、携帯電話／機器（画面）に表示されて携帯機器は携帯電話／機器ケースに取り付けられ、携帯電話／機器ケースに取り付けられる３Ｄビューアーシートは携帯電話／機器（画面）の上部に配置されるか、
３Ｄビューアーシートは携帯機器のディスプレイの上部に又は保護ガラス層の上部に直接配置されるか、
３Ｄカメラは携帯電話／装置のケース又はカバーに対して複数の軸の周りに回転可能であり、３Ｄカメラをメインカメラ及び自撮りカメラとして使用可能にするか、
携帯電話／装置ケースに一体化される３Ｄカメラ及び３Ｄビューアーはカメラフラッシュが装備され、フラッシュは通常呼ばれているＬＥＤフラッシュ又はガス放電管フラッシュ、赤外線源又は任意の種類の光源の発光素子装置であってよく、光源は可視光線に限定されないか、
携帯機器ケース又はカバーは３Ｄカメラ、３Ｄビューアーシート、無線通信回路を有する電子機器、信号処理回路、データ記憶装置、メモリカード、フラッシュメモリカード、Ｗｉ−Ｆｉ送受信機、ｗｉ−ｆｉホットスポット、無線送受信機、近距離無線通信回路、無線充電器、ブルートゥース（登録商標）、バッテリー、携帯電話のコネクタを介して携帯機器のバッテリーを充電するための充電器、サムホイールに取り付けられる複数のレンズのすべて又は一部から成り、複数の異なるレンズをカメラと共に使用して複数の光学効果をもたせることができ、カメラは複数の軸の周りで回転させることができるか、
３Ｄカメラは使用後に収納するために携帯装置のケース又はカバー内に差し込むことができるか、
携帯機器ケース又はカバーは携帯電話／機器ケース又はカバーに取り付けられる折りたたみ可能又は取り出し可能なスタンドを含むことができるか、
携帯機器ケース又はカバーは２Ｄ静止画及びビデオを取り込むことができる通常のカメラから成ることができるか、
３Ｄカメラは携帯電話／装置ケース又はカバーに恒久的に固定されるか、
３Ｄビューアーシートは１つ又は複数のレンチキュラーレンズ又はレンチキュラーレンズアレイ、平行線アレイの集成体及びマイクロ及びナノ機能素又は構造の集成体を備えＬＥＤ又はＬＣＤ又は他のディスプレイに取り付けられ、３Ｄビューアーシートの一方の側面はＬＥＤ又はＬＣＤ又は他のディスプレイに取り付けられ、他方の側面は別の基板に取り付けられ、携帯機器ディスプレイのピクセルは３Ｄビューアーシートの下に配置され、この３Ｄビューアーシートにより、特殊な眼鏡を使用せずに（即ち、眼鏡不要３Ｄ）３Ｄを観察することができるか、
３Ｄビューアーシートはディスプレイ（例えば、携帯機器画面又はＴＶ画面）上に配置され、ディスプレイのピクセルは３Ｄビューアーシートと接触して配置され、透明シートが３Ｄビューアーシート上に取り付けられるか又はオーバーモールドされるか、
３Ｄカメラは一眼レフ又はデジタル一眼レフカメラに搭載することができるか、
３Ｄビューアーシートは一眼レフ又はデジタル一眼レフカメラのビューファインダ又はディスプレイ画面に設置又は取り付け可能で特殊な眼鏡を使用又は着用することなく３Ｄ視見実感をもたせることができるか、
携帯電話／機器ケース又はカバーは３Ｄカメラ、３Ｄビューアー又は３Ｄビューアーシートを有し、携帯機器用の防水ケース／カバーとして使用されるように作成され、水中にある間、携帯機器のタッチパネルを使用できるか、
カメラにおいて、静止画フレーム及びビデオは携帯電話／機器又は携帯電話／機器ケース又はカバー自体に格納されるか、
カメラ／３Ｄカメラによって取り込まれるビデオ又は静止画像は携帯機器に送信されビデオ又は静止画像は携帯機器のディスプレイ又は画面上で視見され、ビデオ又は静止画像データの送信は無線送信又は有線送信を使用して行うことができるか、
レンチキュラーレンズ又はレンチキュラーレンズアレイの集成体及びマイクロ機能素アレイの集成体から成る３Ｄビューアーシートは一緒に組み合わされ３Ｄディスプレイを形成し、携帯機器又はテレビのディスプレイ画面上に配置されて携帯機器のディスプレイに表示されるコンテンツを視見する者に立体視（映像）の提供を可能にし、携帯機器、テレビ又は立体ディスプレイのディスプレイに表示されるコンテンツの３Ｄ映像又は３Ｄ視見を可能にするか、
レンチキュラーレンズ又はレンチキュラーレンズアレイの集成体及び平行線アレイの集成体から成る３Ｄビューアーシートは一緒に組み合わされ３Ｄディスプレイを形成し、携帯機器のディスプレイ画面上に配置されて携帯機器のディスプレイに表示されるコンテンツを視見する者に立体視（映像）の提供を可能にし、携帯機器のディスプレイ又は立体ディスプレイに表示されるコンテンツの３Ｄ映像又は３Ｄ視見を可能にし、上記シートは、カメラ、携帯電話／機器、ｉｐａｄ（登録商標）、タブレット、ラップトップ、ＰＣモニタ、テレビ又は他の適用可能な機器のディスプレイ又はディスプレイ画面に取り付けることができ、ソフトウェアプリケーションがディスプレイと共に使用され、画像又はビデオをディスプレイと互換性のあるモードに変換し所望の立体視を達成して３Ｄ視見実感を視見者に提供するか、
カメラは回転したときに全右回りビュー又はカメラによって見られるビューの３Ｄ又は２Ｄの画像／ビデオを記録するために使用することができ、記録された画像／ビデオはカメラ又は携帯機器上で再生することができて、ユーザは画像／ビデオを見ている者が観ることを望む方向に携帯機器を回転又は向けることによって全周囲ビューを視見することができるか、
カメラ及び３Ｄビューアーシートは３Ｄビューアーシートに一体化される携帯機器のカバー／ケースを使用することによって使用され携帯機器のユーザによる向上した現実実感をもたせることができるか、
３Ｄ又は２Ｄビューアー及びジャイロスコープと一体化される携帯機器カバーが用いられてビデオを記録し、記録されたビデオの３Ｄ向上現実感を視見者に提供し、これは地図アプリケーションと方向提供アプリケーションで使用できるか、
３ＤカメラはＣＣＴＶアプリケーションに使用することができ、３Ｄビューアーシートは適切なソフトウェアとともにＣＣＴＶモニタ上で使用されて、ＣＣＴＶカメラによって取り込まれる３Ｄ画像を視見することができるか、
レンチキュラーレンズ又はレンチキュラーレンズアレイの集成体、平行線アレイの集成体、マイクロ及びナノ構造アレイの集成体の透明基板又はシートから成る３Ｄビューアーシートが一緒に結合されて３Ｄビューアーシートを形成し、携帯機器又はテレビのＬＥＤ／ＬＣＤ／ＴＦＴ／プラズマディスプレイに表示されるコンテンツを視見している者に立体視（映像）の提供を可能にし、携帯機器又はテレビに表示されるコンテンツの３Ｄ映像又は３Ｄ視見を可能にするか、
３Ｄビューアーシートはカメラ、携帯電話／機器、ｉｐａｄ（登録商標）、タブレット、ラップトップ、ＰＣモニタ、テレビ又は他の適用可能な装置のディスプレイ又はディスプレイ画面に取り付けられ、ソフトウェアプリケーションが携帯機器又はテレビ上で使用され、画像又はビデオをディスプレイと互換性のあるモードに変換し、所望の立体視を達成して３Ｄ視見実感を視見者に提供するか、
３Ｄビューアーシートはその機能するために電気を必要としないか、
３Ｄディスプレイシートは携帯電話／機器又はテレビの通常のディスプレイを３Ｄを視見するために特殊な眼鏡を着用する必要のない３Ｄディスプレイに変換するか、又は
カメラはＨＤＭＩ（登録商標）出力、ビデオ／オーディオ出力、無線出力、ｗｉ−ｆｉ出力、ブルートゥース（登録商標）出力、シリアル出力、パラレル出力、パケット出力又は他の適切な出力を有することを特徴とする請求項１記載の携帯機器ケース又はカバー。
【請求項３】
３Ｄカメラは回転可能なサムホイールに取り付けられる複数のレンズを有し、これによって複数の異なるレンズを３Ｄカメラと共に使用でき例えば、ズーム、望遠、マルチ画像などの複数の光学効果をもたせることができることを特徴とする請求項１記載の携帯機器ケース又はカバー。
【請求項４】
サムホイールはカメラのオートフォーカスレンズの前に配置され、カメラの画像センサはオートフォーカスレンズの後ろに配置されるか、
サムホイールはオートフォーカスレンズ及び画像センサの間に配置されるか、
複数のレンズがカメラと共に使用されて複数の光学効果をもたせ、ホイールを使用してギア機構を介して連結されるか、又は
携帯機器ケース又はカバーは３Ｄカメラに加えて２Ｄ静止画及び動画を取り込むことができる通常のカメラをさらに備え、このレギュラーカメラはサムホイールを使用するか又は装着することができることを特徴とする請求項３記載の携帯機器ケース又はカバー。
【請求項５】
３Ｄビューアーシート及び選択的なフレネルレンズは携帯電話／機器ディスプレイ画面及び携帯電話／機器ディスプレイを観ている人の目の間に配置されて視見実感を向上させることを特徴とする請求項１記載の携帯機器ケース又はカバー。
【請求項６】
カメラはレンズアセンブリを備え、レンズアセンブリは、レンズアセンブリの視野にある被写体又は景面の２次元平面に形成される３次元透視ビュー又は３次元領域に形成される３次元透視ビュー又は３次元被写体に形成される３次元透視ビュー又はレンズアセンブリの視野内にある被写体又は景面の３次元静止画又はビデオ画像又は３次元透視画像又は３次元透視ビデオ又は３次元透視ビューを画像平面又は画像センサ上に作成し、レンズアセンブリの視野内にある被写体又は景面の３次元画像又は３次元透視画又は３次元透視ビューはレンズアセンブリから一定の距離に維持される第１の焦点面上に形成され、画像センサが３次元透視ビデオ又は静止画を記録するために配置され、カメラシステムは被写体又は景面の２次元平面又は３次元画像又は３次元透視画又は３次元透視ビュー上に形成される３次元透視ビューをソフトウェア及びハードウェアを組み合わせて使用して高品質の３次元ビデオ及び静止画像に変換し、レンズアセンブリは複数の距離に由来する複数の光線を画像センサ上に同時に焦合するか、
カメラはレンズアセンブリの視野内にある被写体又は景面の３次元画像又は３次元透視画又は３次元透視ビューを記録することができレンズアセンブリから一定の距離に維持される第１の焦点面上に形成され、画像センサは３次元透視ビデオ又は静止画を記録し、及び／又は３次元透視ビューを有する２次元のビデオ及び／又は静止画を記録するために配置され、３次元透視ビューは適切な３Ｄディスプレイ上で３Ｄ（即ち３次元）で視見することができるフォーマットに変換されるか、又は
携帯機器ケース又はカバーはカメラシステム及び非電気的３Ｄビューアーと一体化され、２次元（２Ｄ）及び３次元（３Ｄ）ビデオ動画及び静止画を記録することができ、着脱可能な３Ｄディスプレイシステムを使用して３次元ビデオ／静止画の両方を視見することができ、独特なディスプレイが使用され３Ｄ及び２Ｄビデオ／静止画を両方同時に視見することができることを特徴とする請求項１記載の携帯機器ケース又はカバー。
【請求項７】
カメラは光学画像安定化装置から構成され、光学画像安定化装置は、
ハウジングに取り付けられる１つ以上の永久磁石、
オーディオスピーカのボイスコイルに似た１つ又は複数の中空電気コイル又はボイスコイル、
光モジュールに取り付けられ光モジュールは電流の流れを制御することによって移動させることができる電気コイルから成り、
中空の電気コイルは永久磁石に近接して、電流がコイルに通電するときにコイルと永久磁石との間に電磁相互作用が生じ、
光モジュールは、可動及び可撓性マウント又はワイヤ又は基板によってハウジングに取り付けられ、
電気コイルに電流を供給する電子回路、
所定の時点で電流の方向を決定するフィードバック機構又は回路及び電子制御回路から成ることを特徴とする請求項１記載の携帯機器ケース又はカバー。
【請求項８】
携帯機器のディスプレイ上に表示されるコンテンツを投影画面又は壁に投影することができるビデオ／静止画像プロジェクタを含むことができ、レンズシステムが携帯機器のディスプレイ及び投影画面／壁との間に配置され携帯機器のディスプレイに表示されるコンテンツを画面又は壁に投影するか、
デジタルライトプロセッサ（ＤＬＰ）タイプ機器と一体化され携帯機器ディスプレイに表示されるコンテンツを３Ｄ又は２Ｄで画面又は壁上に投影することができるか、
携帯機器ケース／カバーはヒンジによってアームに接続される３Ｄカメラを有してカバーが持ち上げられて上方に回転することを可能にするか、
携帯機器ケース又はカバーは携帯機器カメラ用の開口を有し、アームが上方に持ち上げられてユーザが自撮りを便利に使用して撮ることができるようにし、アームは元に折り曲げることによって電話ケース上に戻して取り付けてキャビティ上に載せることができ、この形態によりユーザは自分の電話の前面からまた背面から写真を撮ることができるか、
携帯機器ケース又はカバーは携帯機器に接続可能な充電コネクタ及び着脱可能かつ交換可能であり、カメラ又はバッテリー又は他のシステム又は機器の何れかを保持することができる小型ボックスを有するか、
携帯機器ケース又はカバーは交換可能なボックスの内部に３Ｄカメラを有するか、
携帯機器ケース又はカバーはカバーの内部に配置された２つのカメラモジュールを有し、簡単かつ使い易くするか、
携帯機器ケース又はカバーはボックスが交換可能であることから独特かつ多機能であり、２Ｄ又は３Ｄカメラ、バッテリー充電器又は健康モニタを保持することができるか、
携帯機器ケース又はカバーは１つの着脱可能なユニットとして２つのカメラモジュールを有し、その一方はズームして３Ｄを視見するために使用され、他方は高品質の２Ｄで視見するために使用されるか、
携帯機器ケース又はカバーはディスプレイに取り付けられるレンチキュラーシート及び携帯機器の前面に埋め込まれるオーディオスピーカを有するか、
携帯機器ケース又はカバーはスタイラス及び着脱可能なカメラユニットを有するか、
携帯機器ケース又はカバーは２つの３Ｄカメラモジュール及びスタンドを有するか、
携帯機器ケース又はカバーは携帯機器のパッケージを有するか、
携帯機器ケース又はカバーは複数の画像センサを含む電子回路を有して２Ｄ画像フレーム、並列画像フレーム、フル幅画像、ハーフ幅を出力可能な画像フレームデータ合成モジュールに接続され、その入力が２つの画像センサからの２つの別々の画像フレームであり、出力がアプリケーションプロセッサ及び無線送信機モジュールに入力されデータの無線送信がなされるか、
携帯機器ケース又はカバーはストリップ及び接着材料によって携帯機器上に取り付けられているレンチキュラーシートを有することを特徴とする請求項１記載の携帯機器ケース又はカバー。
【請求項９】
３Ｄカメラと３Ｄビューアーは携帯電話／機器ケースに一体化され、３Ｄカメラを携帯電話／機器ケースから取り外して３Ｄカメラをメインカメラとしてのみならず自撮りカメラ及びリモートコントロールカメラとして使用できるようにされ、
３Ｄカメラは２つの左側、右側のアームを有するＶ字型光学部品から成り被写体からの光を画像センサ装置に導光するための光案内として作用し、被写体の２つの画像がＶ字型光学部品の視野内に形成され、及び／又は３Ｄカメラは光を収光して焦合する２つの対物レンズ及び画像センサ上に画像を焦合する１つのレンズから成り、これらのレンズはＶ字型光学部品と距離をおいて又は接触して配置されているか、
カメラは２つのグループが２つ配置された４つのプリズムから成り、１つのグループにおいて、１つのプリズムに入射する光は第１のプリズムにおける内部全反射に因り第２のプリズムに反射され、第２のプリズムに入射する光は第２のプリズムにおける内部全反射に因り画像センサ上に反射され２つのプリズムグループに因り並列画像を画像センサ上に形成し、及び／又は３Ｄカメラは光を収光して焦合する２つの対物レンズ及び画像センサ上に画像を焦合する１つのレンズから成り、これらのレンズはプリズムと距離をおいて又は接触して配置されているか、
３Ｄビューアーは耐擦傷性硬質被膜から成るか、
３Ｄビューアーは３Ｄピクセルから成る多方向３Ｄビューアーで構成され、これらの３Ｄピクセルは多角形ベースを基に画像ディスプレイ画面のピクセル間の同長ギャップをもつピラミッド形状を有するか、
３Ｄカメラは携帯電話／装置のケースに対して回転し旋回可能であり、その縁部は面取りされるか、
携帯機器ケースはデジタル光プロセッサを使用して作成される２Ｄ／３Ｄ画像プロジェクタから成るか、
携帯機器カバーは携帯機器の音声を増幅し、物理的に接触することによって携帯機器のスピーカに接続される音声パイプ及びキャビティシステムを有する受動オーディオアンプモジュールから成るか、
携帯機器カバーは携帯機器の音声を増幅し、無線通信によって携帯機器に接続される音声パイプ及びキャビティシステムを有する能動オーディオアンプモジュールから成るか、
携帯機器カバーは携帯機器のメモリバンクであるモジュールから成り、携帯機器カバーの携帯機器及びメモリバンクは無線通信を介してデータ及び情報を交換することができるか、
携帯機器カバーは健康モニタであるモジュールから成るか、又は
携帯機器カバーは３６０°カメラから成ることを特徴とする請求項１記載の携帯機器ケース又はカバー。
【請求項１０】
３Ｄカメラと３Ｄビューアーは携帯電話／機器ケースに一体化され、３Ｄカメラを携帯電話／機器ケースから取り外して３Ｄカメラをメインカメラとしてのみならず自撮りカメラ及びリモートコントロールカメラとして使用できるようにされ、
３Ｄビューアーは液晶ディスプレイ、薄膜トランジスタ、有機発光ダイオード又は発光ダイオードディスプレイなどの画像ディスプレイ画面と接触し又は接触することなく近接している波形状透明ポリマーシートから成るか、
３Ｄビューアーは液晶ディスプレイ、薄膜トランジスタ、有機発光ダイオード又は発光ダイオードディスプレイなどの画像ディスプレイ画面上に配置される保護ガラス板又はタッチパネルと接触又は接触することなく近接している波形状透明ポリマーシートから成るか、
３Ｄビューアーは上部で互いに接触して配置される２つの波形状透明ポリマーシートから成り、その波形状は互いに平行なシートであり、画像ディスプレイ画面が透明ポリマーの何れかに近接又は接触しているか、又は
３Ｄビューアーは上部で互いに接触して配置される２つの波形状透明ポリマーシートから成り、その波形状は互いに平行なシートではなく、画像ディスプレイ画面は近接しているか又は接触していることを特徴とする請求項１記載の携帯機器ケース又はカバー。
【請求項１１】
波形状透明ポリマーシートはレンチキュラーシート、ダイヤモンドシート、プリズムシート又はこれらの組み合わせであることを特徴とする請求項１０記載の携帯機器ケース又はカバー。
【請求項１２】
２つのカメラで取り込まれる２つの画像又はビデオを３Ｄで表示する装置又は回路であって、
各カメラで取り込まれるオブジェクトの画像又はビデオフレームは取り出され列に分割され、
分割された画像又はビデオフレームの奇数又は偶数列のいずれか１つが除去されるか、又は分割された画像又はビデオフレームの各列は所定数の列だけシフトされ、
同じプロセスが、それぞれの２つのカメラの画像フレーム又はビデオフレームの両方にほぼ同時に行われ、
上記の列除去プロセスを受けた２つのそれぞれの画像又はビデオフレームはオフセットを有する１つの画像又は画像フレームに合成され、
この合成された画像又はビデオは３Ｄ互換ディスプレイ画面で表示され３Ｄ視見実感をもてるようになることを特徴とする装置又は回路。
【請求項１３】
１つのカメラで取り込まれる画像又はビデオを３Ｄで表示する装置又は回路であって、
単一カメラモジュールによって取り込まれるオブジェクトの画像又はビデオフレームが複製され、
複製された２つの画像フレーム又はビデオフレームが取り出され列に分割され、
分割された画像又はビデオフレームの奇数又は偶数列のいずれか１つが除去されるか、又は分割された画像又はビデオフレームの各列は所定数の列だけシフトされ、
同じプロセスが画像フレーム又はビデオフレームの両方に対して行われ（即ち、オリジナル及び複製）、
上記の列除去プロセスを受けた２つのそれぞれの画像又はビデオフレームはオフセットを有する１つの画像又は画像フレームに合成され、
この合成された画像は３Ｄ互換ディスプレイ画面で表示され３Ｄ視見実感をもてるようになることを特徴とする装置又は回路。